(57)【要約】【課題】ケーブルを外部に露出させずに配線できる屋根構造体を提供すること。【解決手段】カーポートは、支柱３および梁４を有した下部構造物と、梁４に立設された束と、束に支えられた屋根とを備える。屋根は、束の上端部にＸ軸方向に延びて取り付けられた上梁７０と、上梁７０にＹ軸方向に延びて取り付けられた複数の屋根材８１と、複数の屋根材８１に取り付けられた屋根枠とを備える。屋根材８１はその前側が後側よりも上方に位置するように傾斜している。束、上梁７０、屋根枠の側枠６４および前枠６１の内部には、これらの順で電線管１００が配線された収容空間が形成される。電線管１００は、前枠６１側から屋根材８１の中空部に導入される。【選択図】図１３
2020101009.tif 000002
【特許請求の範囲】
【請求項１】
支柱および梁を有した下部構造物と、前記梁から上方に離間して設けられた屋根とを備えており、
前記屋根は、左右方向に延びた上梁と、前記上梁の端部に取り付けられた側枠と、前記上梁に交差する前後方向に延びて前記上梁に取り付けられた複数の屋根材と、前記複数の屋根材に取り付けられた前記前枠および前記後枠とを備えており、
前記複数の屋根材は、その前記前枠側の端部が前記後枠側の端部よりも上方に位置するように水平方向に対して傾斜しており、
前記上梁、前記側枠および前記前枠の内部には、前記上梁、前記側枠および前記前枠の順でケーブルが配線された収容空間が形成されており、
前記ケーブルは、前記前枠側から前記屋根材の中空部に導入されている
ことを特徴とする屋根構造体。
【請求項２】
請求項１に記載の屋根構造体において、
前記梁に立設された束を有しており、
前記屋根は、前記束によって支持されており、
前記ケーブルは、前記梁側から前記束の内部を通って前記上梁の内部に導入されている
ことを特徴とする屋根構造体。
【請求項３】
請求項１または請求項２に記載の屋根構造体において、
前記複数の屋根材の前記前枠側の端部には、端板材が配置されており、
前記複数の屋根材の前記前枠側の端部および前記端板材の間には、左右方向に延びたシート状の乾式シール材が配置されており、
前記乾式シール材は、ねじ軸部を有した固定具が前記端板材から前記屋根材の前記前枠側の端部にねじ込まれることで、前記複数の屋根材の前枠側の端部における開口を塞いでおり、
前記ケーブルは、前記端板材および前記乾式シール材を貫通している
ことを特徴とする屋根構造体。
【請求項４】
請求項３に記載の屋根構造体において、
前記複数の屋根材は、一対の側面部と、前記一対の側面部に連続した上面部および下面部と、前記一対の側面部の間において前記上面部および前記下面部に連続した二つの縦片部とを有しており、
前記上面部、前記下面部および前記二つの縦片部によってボックス部が構成されており、
前記ボックス部の各角部には、ビスホールが形成されており、
前記ビスホールには、前記固定具のねじ軸部がねじ込まれている
ことを特徴とする屋根構造体。
【請求項５】
請求項３または請求項４に記載の屋根構造体において、
前記端板材は、左右方向において前記複数の屋根材の端部にわたって延びている
ことを特徴とする屋根構造体。
【請求項６】
請求項５に記載の屋根構造体において、
前記前枠は、前記端板材と、前記端板材に取り付けられた化粧材とによって構成されており、
前記側枠は、側板材と、前記側板材に取り付けられた化粧材とによって構成されており、
前記端板材および前記化粧材の間と前記側板材および前記化粧材の間とには、前記収容空間がそれぞれ形成されている
ことを特徴とする屋根構造体。
【請求項７】
請求項１から請求項６のいずれか一項に記載の屋根構造体において、
前記側枠、前記前枠および前記後枠は、互いに端部が突き合わされる化粧材をそれぞれ備えており、
前記化粧材間の端部間には、前記化粧材の対向する端部の一方にねじ止めされ且つ他方に接着された角部シール部材が設けられている
ことを特徴とする屋根構造体。
【請求項８】
請求項１から請求項７のいずれか一項に記載の屋根構造体において、
前記複数の屋根材の上面には樋部が形成されており、
前記複数の屋根材の前記後枠側の端部には、前記屋根材の樋部に対応する位置に排水溝が形成された排水用端板材が固定されている
ことを特徴とする屋根構造体。
【請求項９】
請求項８に記載の屋根構造体において、
前記後枠は、前記排水用端板材と、前記排水用端板材に取り付けられた化粧材とによって構成されており、
前記後枠の化粧材には、前記排水溝からの排水を受ける樋部が形成されており、
前記化粧材の樋部は、一対の側面部および下面部によって形成されており、
前記一対の側面部のうちの一方は、前記複数の屋根材の端部に沿って立ち上げられている
ことを特徴とする屋根構造体。
【発明の詳細な説明】
【技術分野】
【０００１】
本発明は、カーポートなどの屋根構造体に関する。
【背景技術】
【０００２】
従来、屋根構造体として、支柱と、支柱に固定された母屋受け材と、母屋受け材に取り付けられた屋根とを備えたカーポートが知られている（特許文献１参照）。
屋根は、左右一対の桁材および前後一対の梁によって枠組みされており、一対の梁には前後方向に沿った複数の母屋材が取り付けられており、一対の桁材には左右方向に沿った複数の垂木部材が取り付けられており、複数の垂木部材は樹脂製の屋根板を支持しており、屋根板は垂木部材にビス止めされる屋根板押え部材によって上から押えられている。
前述した桁材、梁、母屋材、垂木部材および屋根板押え部材はアルミ押出形材によって形成された構造材であり、このなかの母屋材が母屋受け材に直にビス止めされている。
【先行技術文献】
【特許文献】
【０００３】
【特許文献１】実開平５−３８１０５号公報
【発明の概要】
【発明が解決しようとする課題】
【０００４】
ところで、特許文献１に記載のカーポートでは、母屋材が母屋受け材に直にビス止めされているので、屋根を母屋受け材に対して上方に離して配置することができない。このため、母屋受け材および支柱によって構成されるフレームに対して屋根を浮かせるような浮遊感を演出することが困難である。そこで、本発明者は、屋根の浮遊感を演出するために前述したフレームの梁に束を立設し、この束によって屋根を支える束構造とすることで、屋根をフレームに対して更に上方に離間して配置することを検討した。
このように構成されたカーポートにおいて、例えば照明具などを屋根に設置する場合には、支柱、母屋受け材や屋根の外面に沿って電線管などのケーブルを配線して照明具などに接続することが考えられるが、ケーブルが外部に露出することとなるので水密性を考慮しなければならない。
また、外部に露出したケーブルが外観上目立ってしまい、例えばケーブルを収容するケースを支柱、母屋受け材や屋根に装着することも考えられるが、ケースを装着することでカーポートのシンプルな外観を損なうおそれがある。
【０００５】
本発明の目的は、ケーブルを外部に露出させずに配線できる屋根構造体を提供することにある。
【課題を解決するための手段】
【０００６】
本発明の屋根構造体は、支柱および梁を有した下部構造物と、前記梁から上方に離間して設けられた屋根とを備えており、前記屋根は、左右方向に延びた上梁と、前記上梁の端部に取り付けられた側枠と、前記上梁に交差する前後方向に延びて前記上梁に取り付けられた複数の屋根材と、前記複数の屋根材に取り付けられた前記前枠および前記後枠とを備えており、前記複数の屋根材は、その前記前枠側の端部が前記後枠側の端部よりも上方に位置するように水平方向に対して傾斜しており、前記上梁、前記側枠および前記前枠の内部には、前記上梁、前記側枠および前記前枠の順でケーブルが配線された収容空間が形成されており、前記ケーブルは、前記前枠側から前記屋根材の中空部に導入されていることを特徴とする。
本発明の屋根構造体によれば、屋根を梁から上方に離して配置することで、屋根が梁から上方に浮いているような浮遊感を演出することができ、このように構成された屋根構造体において前述したようにケーブルを配線して屋根材の中空部に導入しているので、ケーブルが外部に露出することがなく、シンプルな外観の屋根構造体を構成できる。このケーブルは屋根材に設置された照明具などに接続できる。
また、屋根材が後枠側の端部よりも前枠側の端部が上方に位置するように傾斜しており、ケーブルが屋根材の中空部に対して後枠側からではなく前枠側から導入されているので、雨水によって濡れにくい位置にケーブルを配置することができる。
【０００７】
本発明の屋根構造体では、前記梁に立設された束を有しており、前記屋根は、前記束によって支持されており、前記ケーブルは、前記梁側から前記束の内部を通って前記上梁の内部に導入されていてもよい。
このような構成によれば、束によって屋根を梁から上方に離して配置でき、屋根が梁から上方に浮いているような浮遊感を演出することができる。また、束を有する場合においても、ケーブルが束の内部を通るので、ケーブルが外部に露出することがなく、シンプルな外観の屋根構造体を構成できる。
【０００８】
本発明の屋根構造体は、前記複数の屋根材の前記前枠側の端部には、端板材が配置されており、前記複数の屋根材の前記前枠側の端部および前記端板材の間には、左右方向に延びたシート状の乾式シール材が配置されており、前記乾式シール材は、ねじ軸部を有した固定具が前記端板材から前記屋根材の前記前枠側の端部にねじ込まれることで、前記複数の屋根材の前枠側の端部における開口を塞いでおり、前記ケーブルは、前記端板材および前記乾式シール材を貫通していてもよい。
このような構成によれば、複数の屋根材の前枠側の端部に対して端板材を固定する際にシート状の乾式シール材を屋根材および端板材の間に挟み込み、固定具のねじ軸部を端板材から屋根材の前枠側の端部にねじ込むことで、屋根材の前枠側の端部と端板材との間を止水できる。
また、固定具のねじ軸部を端板材から屋根材の前枠側の端部にねじ込むので、乾式シール材は複数の屋根材の前枠側の端部に圧接することとなり、止水性を向上することができる。
【０００９】
本発明の屋根構造体では、前記複数の屋根材は、一対の側面部と、前記一対の側面部に連続した上面部および下面部と、前記一対の側面部の間において前記上面部および前記下面部に連続した二つの縦片部とを有しており、前記上面部、前記下面部および前記二つの縦片部によってボックス部が構成されており、前記ボックス部の各角部には、ビスホールが形成されており、前記ビスホールには、前記固定具のねじ軸部がねじ込まれていてもよい。
このような構成によれば、一対の側面部の間において上面部および下面部を二つの縦片部でつないでボックス部を構成することで、屋根材を中空枠状に形成しつつ強度を高めることができ、また、このように強度が高められたボックス部の各角部にビスホールを形成しているので、屋根材の前枠側の端部のうち強度が高められた部分に固定具をねじ込むことで端板材を強固に固定することができ、乾式シール材によってボックス部と端板材との間をより密に止水できる。このため、ボックス部によって形成される中空部を、電線管等のケーブルを配設する空間として好適に利用できる。
【００１０】
本発明の屋根構造体では、前記端板材は、左右方向において前記複数の屋根材の端部にわたって延びていてもよい。
このような構成によれば、複数の屋根材の前枠側の端部に対して一つの端板材を固定でき、例えば複数の屋根材の前枠側の端部に別々の端板材を固定する場合と比べて施工性を向上することができる。また、一つの端板材によって複数の屋根材の前枠側の端部がつながれるので、端板材を屋根の枠材として構成することができ、この端板材のほかに当該端板材に沿った枠材を別途設ける必要をなくすことができる。
【００１１】
本発明の屋根構造体では、前記前枠は、前記端板材と、前記端板材に取り付けられた化粧材とによって構成されており、前記側枠は、側板材と、前記側板材に取り付けられた化粧材とによって構成されており、前記端板材および前記化粧材の間と前記側板材および前記化粧材の間とには、前記収容空間がそれぞれ形成されていてもよい。
このような構成によれば、例えば端板材や側板材と化粧材とが一体に形成されている場合と比べて、ケーブルを前枠や側枠の収容空間に簡単に設置することができる。
また、化粧材の取付け前は端板材が外部に露出しているので、端板材に対して直接に固定具を挿通させることができ、端板材を複数の屋根材の長手方向における端部に容易に固定することができる。
【００１２】
本発明の屋根構造体では、前記側枠、前記前枠および前記後枠は、互いに端部が突き合わされる化粧材をそれぞれ備えており、前記化粧材間の端部間には、前記化粧材の対向する端部の一方にねじ止めされ且つ他方に接着された角部シール部材が設けられていてもよい。
このような構成によれば、工場等において予め化粧材の一方の端部に角部シール部材をねじ止めすることで、施工現場では化粧材の一方の端部に対向する他方の端部に角部シール部材を接着するだけで、化粧材同士を突き合せたコーナー部を止水でき、止水作業を簡略化することができる。
【００１３】
本発明の屋根構造体では、前記複数の屋根材の上面には樋部が形成されており、前記複数の屋根材の前記後枠側の端部には、前記屋根材の樋部に対応する位置に排水溝が形成された排水用端板材が固定されていてもよい。
このような構成によれば、複数の屋根材の樋部を流れる雨水は排水用端板材の排水溝を通って排水することができる。
【００１４】
本発明の屋根構造体では、前記後枠は、前記排水用端板材と、前記排水用端板材に取り付けられた化粧材とによって構成されており、前記後枠の化粧材には、前記排水溝からの排水を受ける樋部が形成されており、前記化粧材の樋部は、一対の側面部および下面部によって形成されており、前記一対の側面部のうちの一方は、前記複数の屋根材の端部に沿って立ち上げられていてもよい。
このような構成によれば、屋根材の樋部から化粧材の樋部への排水量が多い場合であっても、屋根材の後枠側の端部に沿って立ち上げられた側面部によって水が屋根材の中空部に入り込むことを防止でき、屋根材の中空部に導入されたケーブルなどが濡れるおそれを低減できる。
【発明の効果】
【００１５】
本発明によれば、ケーブルを外部に露出させずに配線できる屋根構造体を提供することができる。
【図面の簡単な説明】
【００１６】
【図１】本発明の第１実施形態に係るカーポートを示す斜視図。
【図２】第１実施形態に係るカーポートを前方から示す正面図。
【図３】第１実施形態に係るカーポートを示す側面図。
【図４】第１実施形態に係るカーポートを示す断面図。
【図５】第１実施形態に係るカーポートの要部を示す説明図。
【図６】第１実施形態に係るカーポートの梁を示す説明図。
【図７】第１実施形態に係るカーポートの照明具を示す説明図。
【図８】第１実施形態に係るカーポートの止水構造を分解して示す斜視図。
【図９】第１実施形態に係るカーポートの束を示す説明図。
【図１０】第１実施形態に係るカーポートの止水部材を示す説明図。
【図１１】第１実施形態に係るカーポートの屋根材を示す断面図。
【図１２】第１実施形態に係るカーポートの屋根材の施工を示す説明図。
【図１３】第１実施形態に係るカーポートに配線された電線管を示す斜視図。
【図１４】第１実施形態に係るカーポートの枠材の施工を示す斜視図。
【図１５】第１実施形態に係るカーポートの屋根枠のコーナー部の施工を示す斜視図。
【図１６】第１実施形態に係るカーポートの後枠を示す斜視図。
【図１７】第１実施形態に係るカーポートの後枠を示す断面図。
【図１８】本発明の第２実施形態に係るカーポートの止水構造を示す斜視図。
【図１９】第２実施形態に係るカーポートの止水部材を示す斜視図。
【図２０】第２実施形態に係るカーポートの止水構造を分解して示す斜視図。
【図２１】本発明の第３実施形態に係るカーポートの止水部材を示す斜視図。
【図２２】第３実施形態に係るカーポートの止水構造を分解して示す斜視図。
【図２３】本発明の変形例に係るカーポートを示す模式図。
【発明を実施するための形態】
【００１７】
［第１実施形態］
以下、本発明の第１実施形態を図面に基づいて説明する。
図１〜４において、第１実施形態に係る屋根構造体としてのカーポート１は、駐車スペースに設置される下部構造物である二つのフレーム２Ａ，２Ｂと、フレーム２Ａ，２Ｂに立設された複数の束１０（１０Ａ，１０Ｂ）と、複数の束１０（１０Ａ，１０Ｂ）に支えられた上部構造物である屋根５０とを備えている。
以下の説明において、カーポート１の間口方向（左右方向）をＸ軸方向とし、カーポート１の奥行方向（前後方向）はＹ軸方向とし、カーポート１の上下方向はＺ軸方向とする。Ｘ，Ｙ，Ｚ軸方向は互いに直交している。
【００１８】
フレーム２Ａ，２Ｂは、駐車スペースに立設された一対の支柱３と、一対の支柱３に固定された梁４とを備えた門型フレームとしてそれぞれ構成されている。フレーム２Ａ，２ＢはＹ軸方向に間隔を隔てて並設されており、一対の支柱３同士はＸ軸方向に間隔を隔てて対向しており、梁４の長手方向はＸ軸方向に沿っている。一対の支柱３間の間隔は駐車スペースに駐車する車等の台数に応じて適宜設定される。フレーム２Ａにおける支柱３の上下寸法Ｌ１は、フレーム２Ｂにおける支柱３の上下寸法Ｌ２よりも大きくされており、これにより、フレーム２Ａ，２Ｂに支えられる屋根５０はそのＹ軸方向における後側から前側に向かうにつれて仮想水平面５２に対して斜め上に傾斜することとなって屋根５０の勾配が設定される。図４に示すように、支柱３のＺ軸方向に沿った中空部３Ａは、ケーブルとしての電線管１００が配線される収容空間として形成されている。
【００１９】
梁４は、図６（Ａ）および図６（Ｂ）に示すように、梁本体４１０と、梁本体４１０の上部に取り付けられた凹部形成体４２０とを備えている。ここで、図６（Ａ）は梁４の縦断面を示しており、図６（Ｂ）は図６（Ａ）に示すＣ−Ｃ断面図である。
梁本体４１０は、梁上面部４１１、梁下面部４１２および一対の梁側面部４１３，４１４を有して中空枠状に形成されている。
凹部形成体４２０は、梁上面部４１１に取り付けられた底面部４２１と、底面部４２１のＸ軸方向に沿った両側縁に形成された断面矩形枠状の側枠部４２２，４２３とを有しており、底面部４２１の凹部底面４２１Ａと側枠部４２２，４２３のうちＹ軸方向に間隔を隔てて向かい合う凹部側面４２２Ａ，４２３ＡとによってＸ軸方向に沿った凹部４Ａが形成されている。凹部４Ａは、梁４のうち屋根５０の下面８２２Ａ，８６２Ａに対してＺ軸方向に対向する領域内にある。凹部側面４２２Ａ，４２３Ａは、側枠部４２２，４２３の上面４２４から下方に延出しており、凹部側面４２２Ａ，４２３Ａの下縁間に凹部底面４２１Ａが配置されている。また、側枠部４２２，４２３には、凹部側面４２２Ａ，４２３ＡからＹ軸方向に突出した取付片部４２５がそれぞれ形成されている。
【００２０】
側枠部４２２，４２３の取付片部４２５には、照明取付部材５０１がねじ止めされており、この照明取付部材５０１には、照射方向が上向きとされる上方照明具としてのアッパーライト５１０が取付金具５０２を介して取り付けられている。
アッパーライト５１０は、図７（Ａ）に示すように、平面視において長方形状に形成されており、アッパーライト５１０の上面５１１にはその長手方向に沿ってＬＥＤ等の発光素子５１が複数設置されている。
取付金具５０２は、図７（Ｂ）に示すように、断面略コ字形状に形成されており、その両縁部に内向きに突出した係合凸部５０３が形成されている。この取付金具５０２は、照明取付部材５０１にねじ止めされている。
取付金具５０２には、アッパーライト５１０が上方から嵌め込まれると共に係合凸部５０３がアッパーライト５１０の幅方向両側に係合することで、アッパーライト５１０が取り付けられる（図６（Ａ）、図６（Ｂ）参照）。
このように梁４に取り付けられたアッパーライト５１０は、凹部形成体４２０の凹部４Ａによって区画された空間に配置されており、凹部側面４２２Ａ，４２３Ａ間のＹ軸方向における中央位置に配置されている（図６（Ａ）参照）。また、アッパーライト５１０は、図２に示すように、二つの束１０からＸ軸方向に等しい距離Ｌ３を離れて配置されている。つまり、アッパーライト５１０は、前述した二つの束１０に対して等間隔を隔てて配置されている。このアッパーライト５１０は、二つの束１０の間のＸ軸方向における中央位置に配置されている。凹部４Ａは、支柱３の中空部３Ａからの電線管１００が配置されている。
【００２１】
凹部形成体４２０には、凹部４Ａの上部における開口を覆う上カバー材５Ａ（カバー材）が取り付けられており、上カバー材５Ａが前記開口を覆うことによって、梁４の内部に電線管１００が配線される収容空間４Ｃが形成されている。上カバー材５Ａは、Ｘ軸方向に延びた板状の覆板部５２１と、覆板部５２１から下方に延出した二つの係合片部５２２とを有している。二つの係合片部５２２は、照明取付部材５０１に係止された二つの係合爪部５０１Ａにスナップフィット式に係合しており、覆板部５２１は、凹部４Ａの開口を覆って側枠部４２２，４２３の上面４２４に当接している。
覆板部５２１には、束１０が挿通される束挿通口（図示省略）と、Ｚ軸方向においてアッパーライト５１０に対応した位置に配置される照明開口５２３とが形成されており、この照明開口５２３には、ポリカーボネード等の透光性を有した透光カバー５２４が設けられている。照明開口５２３は長方形状であり、アッパーライト５１０の上面５１１（特に投光面）のＸ軸方向における長さ寸法およびＹ軸方向における幅寸法に対して同等かそれよりも大きい寸法とされている。この照明開口５２３は、アッパーライト５１０の上面５１１の真上に配置されている。
このように設置されたアッパーライト５１０は、その上面５１１から上方に照射光を照射し、この照射光が透光カバー５２４を通って屋根５０（本実施形態では主に複数の屋根材８１）の下面８２２Ａ，８６２Ａを照らす。本実施形態では、アッパーライト５１０の長さ寸法は、Ｘ軸方向における二つの束１０間の寸法に対して８割程度の寸法とされており、このアッパーライト５１０による屋根５０の下面８２２Ａ，８６２ＡのＸ軸方向における照射範囲Ｉ（図２参照）は、アッパーライト５１０から透光カバー５２４を通った照射光が広がりながら屋根５０の下面に到達することで、Ｘ軸方向における束１０Ａ，１０Ａ（束１０Ｂ，１０Ｂ）間の全範囲に及ぶ。これにより、梁４から上方に離間した屋根５０の浮遊感を照明演出する。
また、前述した照射光のうち屋根５０の下面８２２Ａ，８６２Ａに反射した反射光は、屋根５０側から下方を照らす間接照明となる。更に、屋根５０はその後側から前側に向かうにつれて斜め上向きに傾斜しているので、このように傾斜した屋根５０の下面８２２Ａ，８６２Ａに反射した反射光は、カーポート１よりも前方に位置する道路などを照らす。
【００２２】
梁本体４１０の梁側面部４１３，４１４は、梁下面部４１２よりも下方に延出しており、それぞれの下縁部に係合凸部４１５が形成されている。梁側面部４１３，４１４には、これらの係合凸部４１５に係合する係合凹部５０４が形成された下カバー材５Ｂが取り付けられている。下カバー材５Ｂは、梁本体４１０の下面を覆って配置されていると共に、照射方向が下向きとされる下方照明具としてのダウンライト５３０が図２に示すようにＸ軸方向に沿って複数設置されている。ダウンライト５３０は、図７（Ｃ）に示すように、略円形状に形成されており、その下面５３１が投光面となっている。
【００２３】
屋根５０は、四つの枠材６１〜６４を四周枠組みして屋根５０の周縁部を構成する屋根枠６０と、両端が屋根枠６０に取り付けられていると共に両端で開口した中空部７０Ａ（図４、図５参照）を有した二つの上梁７０と、屋根枠６０内に並設された複数の屋根材８１とを備えている。屋根枠６０の各枠材６１〜６４および上梁７０はアルミ押出形材によって構造材として形成されており、本実施形態では、複数の屋根材８１もアルミ押出形材によって形成されており、屋根枠６０に固定されることで構造材としての機能を発揮し得る。枠材６１，６２はＸ軸方向に沿った前枠６１および後枠６２として構成されており、枠材６３，６４はＹ軸方向に沿った側枠６３，６４として構成されている。側枠６３には側枠６４側に延出した上側重なり部６３２が形成されており、側枠６４には側枠６３側に延出した上側重なり部６４２が形成されている（図４参照）。屋根材８１は上梁７０に対して下方に配置されている。屋根材８１には束１０が挿通される挿通口９１，９２が構成されている。上梁７０の長手方向はＸ軸方向に沿っており、梁４の長手方向と平行である。複数の屋根材８１の長手方向はＹ軸方向に沿っており、上梁７０の長手方向と直交している。この屋根５０では、屋根枠６０はフレーム２Ａ，２Ｂに固定されておらず、上梁７０が束１０に固定されているので、屋根枠６０が一対の支柱３よりもＸ軸方向に張り出して位置する屋根５０を構成することが可能である。本実施形態では、二つの上梁７０のうち後述する前枠６１側に位置する上梁７０の中空部７０Ａは、図４に示すように、後述する束１０Ａ側からの電線管１００が配線される収容空間として構成されている。なお、図８に示すように、上梁７０の上面部７２には、後述する固定ボルト７および固定ビス１２３が通り抜ける通し孔７３，７４が形成されており、この各通し孔７３，７４は、板状の蓋部材７５が上面部７２にビス止めされることによって塞がれる。
【００２４】
束１０には、フレーム２Ａの梁４に立設された複数の束１０Ａと、フレーム２Ｂの梁４に立設された複数の束１０Ｂとがあり、束１０Ａ，１０Ｂは互いに同様に構成されている。複数の束１０Ａは、フレーム２Ａの梁４の長手方向（Ｘ軸方向）において屋根５０の周縁部を構成する後述する屋根枠６０よりも内側に配置されており、複数の束１０Ｂは、フレーム２Ｂの梁４の長手方向（Ｘ軸方向）において屋根枠６０よりも内側に配置されている。
束１０は、図５および図８〜１０に示すように、アルミ押出形材によって形成された束材２０と、束材２０の中空部２５に配置されたスチール製の補強材３０と、束材２０の下端２９に固定されたスチール製の固定体４０とを備えている。図５に示すように、固定体４０は梁４の凹部４Ａに配置されており、凹部４Ａの開口に上カバー材５Ａが設置されることで外部に露出しない配置となっている。
【００２５】
束材２０は、Ｙ軸方向において互いに対向する一対の第一束片部２１，２２およびＸ軸方向において互いに対向する一対の第二束片部２３，２４を有して角筒状に形成されており、第一束片部２１，２２および第二束片部２３，２４によってＺ軸方向に沿った中空部２５が形成されている。束材２０の上面は、仮想水平面５２に対して屋根５０の勾配に応じた角度をもって傾斜している。本実施形態では、第一束片部２１および第一束片部２２の面内における水平方向はＹ軸方向に沿っており、第二束片部２３，２４の面内における水平方向はＸ軸方向に沿っている。第二束片部２３，２４のＹ軸方向に沿った幅寸法Ｗ１は、第一束片部２１および第一束片部２２のＸ軸方向に沿った幅寸法Ｗ２よりも大きく設定されている。
第二束片部２３の内面には、後述する第二補強片部３３に向かってＸ軸方向に突出した二つの当接凸部２３１が形成されており、第二束片部２４の内面には、後述する第二補強片部３４に向かってＸ軸方向に突出した二つの当接凸部２４１が形成されている。
第二束片部２３および第一束片部２１が交わる第一角部２６１は第二束片部２３および第一束片部２１に対して内側（束材２０の軸中央側）に膨出しており、第二束片部２３および第一束片部２２が交わる第二角部２６２は第二束片部２３および第一束片部２２に対して内側（束材２０の軸中央側）に膨出しており、第二束片部２４および第一束片部２１が交わる第三角部２６３は第二束片部２４および第一束片部２１に対して内側（束材２０の軸中央側）に膨出しており、第二束片部２４および第一束片部２２が交わる第四角部２６４は第二束片部２４および第一束片部２２に対して内側（束材２０の軸中央側）に膨出している。
図１０（Ａ）は束１０および止水部材１１０を示す平面図である。図１０（Ｂ）は図１０（Ａ）に示すＢ−Ｂ線に沿った断面図であり、束１０の図示を省略している。図１０（Ａ）に示すように、第一角部２６１のＹ軸方向に沿った厚さ寸法Ｔ１は第二束片部２３の厚さ寸法Ｔ３よりも大きく、第一角部２６１のＸ軸方向に沿った厚さ寸法Ｔ２は第一束片部２１の厚さ寸法Ｔ４よりも大きい。また、第二束片部２３，２４は同じ厚さ寸法Ｔ３であり、第一束片部２１および第一束片部２２は同じ厚さ寸法Ｔ４である。第二角部２６２から第四角部２６４も第一角部２６１と同様に厚さ寸法Ｔ１，Ｔ２を有しており、第二束片部２３，２４の厚さ寸法Ｔ３および第一束片部２１および第一束片部２２の厚さ寸法Ｔ４よりも大きな厚さ寸法とされている。
第一角部２６１から第四角部２６４には、固定具である固定ボルト７が螺合する固定孔２７がそれぞれ穿設されている。各固定孔２７は、束材２０の軸方向に沿って延びており、束材２０の上面および下面で開口している。このように形成された各固定孔２７は、束材２０の中空部２５に対してスリット等によって連続させておらず、束材２０のうち各固定孔２７の周囲を囲む部分を水平方向におけるせん断耐力の向上に利用している。
【００２６】
補強材３０は、束材２０の上面から下面までＺ軸方向に延びて形成されており、屋根５０の鉛直荷重を支持するものである。補強材３０は、図１０（Ａ）に示すように、Ｙ軸方向において互いに対向する一対の第一補強片部３１，３２およびＸ軸方向において互いに対向する一対の第二補強片部３３，３４を有して角筒状に形成されており、四つの角部は円弧面によって丸角状に形成されている。
第二補強片部３３，３４は、ネジ６によって束材２０の第二束片部２３，２４にそれぞれ取り付けられており、ネジ６のねじ込みによって当接凸部２３１，２４１の突出端が第二補強片部３３，３４の外面に当接されている。
第一補強片部３１はＹ軸方向において第一角部２６１および第三角部２６３よりも第一束片部２２側に寄って位置しており、第一補強片部３２はＹ軸方向において第二角部２６２および第四角部２６４よりも第一束片部２１側に寄って位置している。
また、第二補強片部３３は第一角部２６１および第二角部２６２の間に挟まれる位置に配置されており、第二補強片部３４は第三角部２６３および第四角部２６４の間に挟まれる位置に配置されている。
【００２７】
固定体４０は、図９（Ａ）および図９（Ｂ）に示すように、金属板材をプレス曲げ加工して形成された第一固定部材４０Ａおよび第二固定部材４０Ｂを上下に重ね合わせて構成されている。第一固定部材４０Ａは、固定片部４１Ａと、一対の垂下片部４２Ａ，４３Ａと、一対の取付片部４４Ａ，４５Ａとを有しており、第二固定部材４０Ｂは、固定片部４１Ｂと、一対の垂下片部４２Ｂ，４３Ｂと、一対の取付片部４４Ｂ，４５Ｂと、二つの補強リブ４６とを有している。
固定片部４１Ａは平面視四角形状であり、固定片部４１Ａには固定ボルト７が挿通される孔が形成されている。固定片部４１Ａは、当該孔に挿通された固定ボルト７が束材２０の固定孔２７に締結されることによって束材２０の下端２９に固定されている。また、固定片部４１Ａのうち束材２０の中空部２５に面する部分に配管用開口４７１が形成されている。垂下片部４２Ａは、図９（Ａ）において左側にある固定片部４１Ａの側縁に連続しており、垂下片部４３Ａは図９（Ａ）において右側にある固定片部４１Ａの側縁に連続している。取付片部４４Ａは、垂下片部４２Ａの下縁に連続している共に図９（Ａ）において左側に延出しており、取付片部４５Ａは、垂下片部４３Ａの下縁に連続していると共に図９（Ａ）において右側に延出している。取付片部４４Ａ，４５Ａには、梁４に対する固定用の固定ネジ８が挿通される孔４８が複数形成されている。
垂下片部４２Ａ，４３Ａおよび取付片部４４Ａ，４５Ａには、配管用切欠き４７２が形成されている。垂下片部４２Ａおよび取付片部４４Ａの配管用切欠き４７２は、当該垂下片部４２Ａおよび取付片部４４Ａに連続して形成されており、取付片部４４ＡのＹ軸方向に沿った外側縁で開口している。また、垂下片部４３Ａおよび取付片部４５Ａの配管用切欠き４７２は、当該垂下片部４３Ａおよび取付片部４５Ａに連続して形成されており、取付片部４５ＡのＹ軸方向に沿った外側縁で開口している。
固定片部４１Ｂ、垂下片部４２Ｂ，４３Ｂおよび取付片部４４Ｂ，４５Ｂは、前述した固定片部４１Ａ、垂下片部４２Ａ，４３Ａおよび取付片部４４Ａ，４５Ａと概略同様に形成されているが、固定片部４１ＢのＸ軸方向における寸法は固定片部４１ＡのＸ軸方向における寸法よりも若干小さく、垂下片部４２Ｂ，４３Ｂの上下寸法は、垂下片部４２Ａ，４３Ａの上下寸法よりも小さく、取付片部４４Ｂ，４５ＢのＸ軸方向における寸法は取付片部４４Ａ，４５ＡのＸ軸方向における寸法よりも若干大きく設定されている。また、固定片部４１Ｂには固定ボルト７が挿通される孔が形成されていない。
固定片部４１Ｂは、固定片部４１Ａに対して間隔を隔てて下方に配置されており、固定片部４１Ａとの間に固定ボルト７を収められる空間４９を形成している。また、固定片部４１Ｂは、複数の取付けネジ９によって固定片部４１Ａに取り付けられている。垂下片部４２Ｂの外面は垂下片部４２Ａの内面に重ね合わされており、垂下片部４３Ｂの外面は垂下片部４３Ａの内面に重ね合わされている。取付片部４４Ｂの上面は取付片部４４Ａの下面に重ね合わされており、取付片部４５Ｂの上面は取付片部４５Ａの下面に重ね合わされている。
二つの補強リブ４６は、Ｘ軸方向に沿った板材によって形成されており、垂下片部４２Ｂ,４３Ｂの内面および固定片部４１Ｂの下面に連続している。
束１０Ａには、図９（Ａ）、図９（Ｂ）および図１０（Ａ）に示すように、束材２０に形成された収容空間である中空部２５と、固定体４０の配管用開口４７１および配管用切欠き４７２に梁４の凹部４Ａからの電線管１００が通されている。このように束１０の内部に電線管１００を通すことで、フレーム２Ａ，２Ｂから屋根５０に連続した電線管１００を外部に露出させずに配線する。
【００２８】
複数の屋根材８１には、図１１（Ａ）に示す屋根材８１Ａと、図１１（Ｂ）に示す屋根材８１Ｂと、図１１（Ｃ）に示す屋根材８１Ｃ（端部屋根材）とがあり、これらの後述する中空部８２９，８７１は、前枠６１側からの電線管１００を配線可能な収容空間として構成されており、本実施形態では、屋根材８１Ａの中空部８２９に電線管１００が前枠６１側から導入されている（図１３、図１４参照）。
屋根材８１Ａは、図１１（Ａ）に示すように、両端部で開口した中空枠状のパネル材８２と、パネル材８２に連続した下側重なり部８３６および上側重なり部８４６とを有している。パネル材８２は、上面部８２１と、下面部８２２と、上面部８２１および下面部８２２に連続した一対の側面部８３３，８４３と、一対の側面部８３３，８４３の間において上面部８２１および下面部８２２に連続した二つの縦片部８２３とを有している。上面部８２１のうちパネル材８２の幅方向における中央部分は後述する下重なり片部８３５および上重なり片部８４５よりも上方に突出した取付部８２１Ａとして構成されており、この取付部８２１Ａが上梁７０に取り付けられている。
前述した取付部８２１Ａ、下面部８２２および二つの縦片部８２３によって断面四角形状のボックス部８８が構成されており、このボックス部８８の各角部にはビスホール８５がパネル材８２の長手方向に延びて形成されている。また、上面部８２１および側面部８３３が交わる角部と、上面部８２１および側面部８４３が交わる角部とには、ビスホール８５がパネル材８２の長手方向に延びて形成されている。
このパネル材８２の内部には、二つの縦片部８２３によって区画された三つの中空部８２９，８３９，８４９が形成されている。
下側重なり部８３６は、上面部８２１および側面部８３３が交わる角部から上方に立ち上げられた立上げ片部８３４と、立上げ片部８３４から側面部８３３に対して内側（パネル材８２の幅方向における側面部８４３側）に向かって延出した下重なり片部８３５とを有して断面略Ｌ字形状に形成されている。また、パネル材８２には、側面部８３３から外側に突出した断面略Ｌ字形状の樋部８３７が形成されている。
上側重なり部８４６は、上面部８２１および側面部８４３が交わる角部から側面部８４３よりも外側に持ち出されて上方に立ち上げられた立上げ片部８４４と、立上げ片部８４４から側面部８４３に対して外側（パネル材８２の幅方向において側面部８３３から離間する側）に向かって延出した上重なり片部８４５とを有して断面略Ｌ字形状に形成されている。
屋根材８１Ａの上面部８２１においてボックス部８８と下側重なり部８３６および上側重なり部８４６との間にはＸ軸方向に沿った樋部８３１，８４１がそれぞれ形成されている。
【００２９】
屋根材８１Ｂは、図１１（Ｂ）に示すように、中空枠状のパネル材８６と、下側重なり部８６８と、上側重なり部８６９とを有している。パネル材８６は、上面部８６１と、下面部８６２と、上面部８６１および下面部８６２に連続した一対の側面部８６３，８６４と、一対の側面部８６３，８６４の間において上面部８６１および下面部８６２に連続した二つの縦片部８６５とを有している。上面部８６１、下面部８６２および二つの縦片部８６５によって断面四角形状のボックス部８９が構成されており、このボックス部８９の各角部にはビスホール８５がパネル材８６の長手方向に延びて形成されている。上面部８６１には二つの立上り片部８６６が形成されており、これにより、上面部８６１の上面８６１Ａには、この二つの立上り片部８６６の立上り面８６６Ａ（立上り片部８６６の上面）を有した断面凹状の樋部８６７が形成されている。また、パネル材８６には、側面部８６３から外側に突出した前述した樋部８３７が形成されている。
また、前述した挿通口９１は下面部８６２を貫通して構成されており、挿通口９２は樋部８６７の底部を貫通して構成されている。
このパネル材８６の内部には、二つの縦片部８６５によって区画された三つの中空部８７１，８７２，８７３が形成されており、挿通口９１，９２は、中央の中空部８７１に連通している。
下側重なり部８６８は、上面部８６１のうち樋部８６７よりも側面部８６３側の部分によって構成されており、側面部８６３に対して内側に位置している。
上側重なり部８６９は、側面部８６４から外側に向かって延出した上重なり片部によって構成されている。
【００３０】
屋根材８１Ｃは、図１１（Ｃ）に示すように屋根材８１Ａと概略同様に形成されているが、上側重なり部８４６に代えて、下側重なり部８３６Ａを有している。この下側重なり部８３６Ａは、立上げ片部８３４Ａおよび下重なり片部８３５Ａを有して下側重なり部８３６と同様に構成されているが、下重なり片部８３５Ａはパネル材８２の幅方向において側面部８３３側に向かって延出している。つまり、下重なり片部８３５，８３５Ａは、立上げ片部８３４，８３４Ａから屋根材８１Ｃの幅方向における中央側に向かって延出している。また、側面部８３３，８４３の双方に樋部８３７が形成されている。
【００３１】
前枠６１は、複数の屋根材８１のうちＸ軸方向における両端に位置する屋根材８１Ａ，８１ＣまでにわたってＸ軸方向に延びた端板材６１１と、端板材６１１にＸ軸方向に延びて取り付けられた枠状の化粧材６１５とを備えている（図１３〜図１５参照）。端板材６１１および化粧材６１５はアルミ押出形材によって形成されている。
端板材６１１は、略矩形板状に形成されており、その上部にはＸ軸方向外側に延出した延出片部６１２が形成されており、その下部にはＸ軸方向外側に開口した嵌合溝部６１３が形成されている。また、端板材６１１には、固定具である固定ビス６５がそれぞれ挿通される複数の孔６１４が形成されている。孔６１４の各位置は、図１４に示す複数の屋根材８１（８１Ａ，８１Ｂ，８１Ｃ）のビスホール８５の各位置に対応した配置となっている。
この端板材６１１は、複数の屋根材８１の長手方向における端部８１１（前枠６１側の端部）との間にＸ軸方向に延びたシート状の乾式シール材５５を挟み込んだ状態で固定ビス６５によって屋根材８１の各端部８１１に固定されている。
乾式シール材５５は、スポンジ、ゴム等によって矩形シート状に形成されており、端板材６１１と略同じ長さ寸法とされている。この乾式シール材５５は、固定ビス６５のねじ軸部６５ＡがＹ軸方向に沿った状態で端板材６１１の各孔６１４に挿通されて複数の屋根材８１の各ビスホール８５にねじ込まれることで、複数の屋根材８１の中空部８２９，８３９，８４９，８７１，８７２，８７３の端部８１１における開口をまとめて塞いでおり、複数の屋根材８１の端部８１１と端板材６１１との間を止水している。端板材６１１および乾式シール材５５には、図１４に示すように貫通孔６１１Ａ，５５Ａが形成されており、貫通孔６１１Ａ，５５Ａには電線管１００が貫通される。
化粧材６１５は、図１５に示すように、上面部６１６Ａ、側面部６１６Ｂおよび下面部６１６Ｃを有して断面略コ字形状に形成された化粧本体部６１６と、化粧本体部６１６からＹ軸方向外側に張り出した中空枠状の化粧張出部６１７とを有している。上面部６１６Ａの縁部には端板材６１１に当接する当接片部６１８が下方に垂下して形成されている。下面部６１６Ｃの縁部には、端板材６１１の嵌合溝部６１３に嵌合する嵌合膨大部６１９が形成されている。また、下面部６１６Ｃには、二つの垂下片部６１６Ｄが連続しており、この二つの垂下片部６１６Ｄの下縁には底面部６１６Ｅが連続している。化粧本体部６１６において、上面部６１６Ａ、側面部６１６Ｂ、嵌合膨大部６１９側の垂下片部６１６Ｄおよび底面部６１６Ｅには、Ｘ軸方向に沿ったビスホール６６がそれぞれ形成されている。また、化粧張出部６１７の内面には、Ｘ軸方向に沿ったビスホール６６が複数形成されている。
化粧材６１５の長手方向における端部６１５Ａは、後述する化粧材６４５の長手方向における端部６４５Ａと突合せ可能に斜めカットされており、この端部６１５Ａには図１５に示す角部シール部材６８が固定具である固定ビス６７によって固定されている。なお、化粧材６１５の長手方向における反対側の端部６１５Ａも前述同様に斜めカットされて角部シール部材６８が固定ビス６７によって固定されている（図１参照）。
角部シール部材６８は、化粧材６１５の端部６１５Ａを塞ぐ樹脂製のキャップ部材として構成されており、シール板部６８１と、シール板部６８１の周縁から当該シール板部６８１の面外方向両側に延出した周縁延出部６８２とを有している。角部シール部材６８の外形は、化粧材６１５の外形に概略沿った形状とされている。
この化粧材６１５は、当接片部６１８が端板材６１１の延出片部６１２に載せられて当該端板材６１１のうち延出片部６１２よりも上側部分に対してブチルゴム等のシール材（図示省略）を介在してねじ止めされ、且つ、嵌合膨大部６１９が端板材６１１の嵌合溝部６１３に嵌合されることで、端板材６１１に取り付けられる。このように端板材６１１に取り付けられた化粧材６１５は、端板材６１１を外部から覆っており、端板材６１１と化粧材６１５の上面部６１６Ａ、側面部６１６Ｂおよび下面部６１６Ｃとによって、側枠６４側からの電線管１００（図１３参照）が配線される収容空間６１Ａ（図１５参照）を形成している。
【００３２】
後枠６２は、前述したように屋根５０が傾斜しているので前枠６１よりも低い位置にあり、図１６、図１７に示すように、複数の屋根材８１の長手方向における端部８１２（後枠６２側の端部）にねじ止めされた排水用端板材６２１と、排水用端板材６２１にＸ軸方向に延びて取り付けられた枠状の化粧材６２５とを備えており、化粧材６２５には、Ｘ軸方向に沿った樋部６２６，６２６Ａが形成されている。排水用端板材６２１および化粧材６２５はアルミ押出形材によって形成されている。
排水用端板材６２１は、図１２に示すように、複数の屋根材８１のうちＸ軸方向において両端側に位置する屋根材８１Ａ，８１ＣにわたってＸ軸方向に延びて形成されており、その上縁のうち各屋根材８１Ａ〜８１Ｃの樋部８３１，８４１，８６７に対応する位置には、当該樋部８３１，８４１，８６７を開放する複数の排水溝６２２（図１６参照）が形成されており、複数の排水溝６２２を通じて化粧材６２５の樋部６２６に排水可能である。排水用端板材６２１には、Ｙ軸方向に延出した延出片部６２１Ａが形成されている。本実施形態では、各屋根材８１の後枠６２側の端部８１１と排水用端板材６２１との間には、図１６、図１８に示すシート状の乾式シール材６２９が挟み込まれている。また、排水用端板材６２１の下縁は、各屋根材８１の下面部８２２，８６２よりも高い位置に配置されており、これにより、仮に中空枠状の屋根材８１内に水気があっても、排水用端板材６２１の下方から化粧材６２５の樋部６２６Ａに排水可能である。
化粧材６２５は、図１６、図１７に示すように、化粧本体部６２７と、化粧本体部６２７からＹ軸方向外側に張り出した化粧張出部６２８とを有して枠状に形成されている。化粧張出部６２８は、前枠６１の化粧張出部６１７と同様に構成されているので、その説明を省略する。
化粧本体部６２７は、一対の側面部６２７Ａ，６２７Ｂと、下面部６２７Ｃと、断面Ｌ字状の立上げ部６２７Ｄとを有している。側面部６２７Ａおよび６２７Ｂは下面部６２７Ｃから立ち上げられており、側面部６２７Ａ，６２７Ｂおよび下面部６２７Ｃによって樋部６２６が形成されている。側面部６２７Ａには、化粧張出部６２８が取り付けられており、側面部６２７Ａの上縁部はＹ軸方向において前枠６１側に延びている。側面部６２７Ｂは、各屋根材８１の後枠６２側の端部８１２に沿って配置されており、側面部６２７Ｂの上縁部はＹ軸方向に延出した取付片部６２７Ｅとして形成されており、排水用端板材６２１の延出片部６２１Ａの下側に重ねられて当該延出片部６２１Ａにねじ止めされる。立上げ部６２７Ｄは、下面部６２７Ｃおよび側面部６２７Ｂの連続部分からＹ軸方向に延出して形成されており、立上げ部６２７Ｄおよび側面部６２７Ｂによって樋部６２６Ａが形成されている。樋部６２６は、各屋根材８１の樋部８３１，８４１，８６７から排水溝６２２２を通って排水された雨水を受ける構成であり、これに対して、樋部６２６Ａは、中空枠状の各屋根材８１内に水気がある場合であって端部８１２から排水される水を受ける構成である。このように樋部６２６Ａは予備的なものであるので、樋部６２６よりも小型に構成される。
化粧材６２５には、Ｘ軸方向に沿った複数のビスホール６６が形成されており、これらのビスホール６６に固定ビス６７（図１５参照）がねじ込まれることによって前述した角部シール部材６８が化粧材６２５の長手方向における両端部６３５Ａ（図１参照）にそれぞれ固定されている。
【００３３】
側枠６３は、図４および図１２に示すように、上梁７０の長手方向における一方の端部にねじ止めされた側板材６３１と、側板材６３１にＹ軸方向に延びて取り付けられた枠状の化粧材６３５とを備えている。側板材６３１および化粧材６３５はアルミ押出形材によって形成されている。側板材６３１はＹ軸方向に延びて形成されているとともにビスホールが形成されており、このビスホールに固定ビス６５がねじ込まれることによって側板材６３１の両端に端板材６１１および排水用端板材６２１が固定される。この側板材６３１には前述した上側重なり部６３２が形成されている。
化粧材６３５は、化粧本体部６３６と、化粧本体部６３６からＸ軸方向外側に張り出した化粧張出部６３７とを有している。化粧張出部６３７は、前述した化粧張出部６１７と同様に構成されているので、その説明を省略する。
化粧本体部６３６は、一対の側面部６３６Ａ，６３６Ｂ、下面部６３６Ｃ、断面略Ｌ字状の立上げ部６３６Ｄおよび上面部６３６Ｅを有している。側面部６３６Ａ，６３６Ｂは下面部６３６Ｃから立ち上げられており、上面部６３６Ｅの上縁に連続した上面部６３６Ｅは側板材６３１の上部にねじ止めされる。側面部６３６Ｂの上縁部はＸ軸方向に折曲されて側板材の６３１の下部に掛けられている。立上げ部６３６Ｄは、側面部６３６Ｂおよび下面部６３６Ｃの連続部分からＸ軸方向に延出している。
化粧材６３５の長手方向における両端部６３５Ａには、化粧材６１５，６２５に固定された角部シール部材６８にそれぞれ接着されており、これにより、端部６３５Ａが化粧材６１５，６２５の端部６１５Ａ，６２５Ａに突き合わされて屋根枠６０のコーナー部６９を構成している（図１参照）。
【００３４】
側枠６４は、図１、図４および図１２に示すように、側枠６３と同様に形成されてＸ軸方向において逆向きに配置されている。この側枠６４は、側板材６４１および化粧材６４５を備えている。側板材６４１には前述した上側重なり部６４２と、上梁７０側からの電線管１００が貫通する貫通孔（図示省略）とが形成されている。
化粧材６４５は、化粧材６３５と概略同様に、一対の側面部６４６Ａ，６４６Ｂ、下面部６４６Ｃ、断面略Ｌ字状の立上げ部６４６Ｄおよび上面部６４６Ｅを有しており、側面部６４６Ａ，６４６Ｂ、下面部６４６Ｃおよび上面部６４６Ｅと側板材６４１とによって電線管１００が配線される収容空間６４Ａ（図４参照）を形成している。
化粧材６４５の長手方向における両端部６４５Ａには、化粧材６１５，６２５に固定された角部シール部材６８がそれぞれ接着されており、これにより、端部６４５Ａが化粧材６１５，６２５の端部６１５Ａ，６２５Ａに突き合わされて屋根枠６０のコーナー部６９を構成している（図１参照）。このように構成された各コーナー部６９は、乾式の角部シール部材６８によって止水されている。
【００３５】
前述した屋根５０は次のようにして施工される。まず、束１０に屋根材８１Ｂを通して上梁７０を固定し、上梁７０の両端部に側枠６３，６４の側板材６３１，６４１を取り付けて図１２に示すように二方枠を形成する。なお、この時点では図１２に二点鎖線で示す後枠６２は取り付けられていない状態である。
次に、この二方枠内に複数の屋根材８１を設置する。手順は次の通りである。複数の屋根材８１をＸ軸方向に並べて梁４に載置し、図１２において左端に位置する屋根材８１ＡをＺ軸方向において真上に移動し、この屋根材８１Ａの下重なり片部８３５を側板材６４１の上側重なり部６４２の下側に重ね合わせ、重ね合わせた上側重なり部６４２および下重なり片部８３５を固定具である固定ネジ８７によって固定する。
次に、固定した屋根材８１Ａの上重なり片部８４５の真下に別の屋根材８１Ａの下重なり片部８３５を配置し、下方の屋根材８１Ａを真上に移動して、上重なり片部８４５の下側に下重なり片部８３５を重ね合わせ、重ね合わせた上重なり片部８４５および下重なり片部８３５を固定ネジ８７によって固定する。
次に、屋根材８１Ａの上重なり片部８４５の真下に下側重なり部８６８が位置する屋根材８１Ｂを束１０に沿って真上に移動して、上重なり片部８４５の下側に下側重なり部８６８を重ね合わせ、重ね合わせた上重なり片部８４５および下側重なり部８６８を固定ネジ８７によって固定する。
次に、屋根材８１Ｂの上側重なり部８６９の真下に屋根材８１Ａの下重なり片部８３５を配置し、屋根材８１Ａを真上に移動して、上側重なり部８６９の下側に下重なり片部８３５を重ね合わせ、重ね合わせた上側重なり部８６９および下重なり片部８３５を固定ネジ８７によって固定する。このように、屋根材８１同士、または屋根材８１Ａ，８１Ｂ同士をＸ軸方向に沿って連結していく。
最後に、側板材６３１の上側重なり部６３２の真下に屋根材８１Ｃ（端部屋根材）の下重なり片部８３５Ａを配置する共に、屋根材８１Ａの上重なり片部８４５の真下に屋根材８１Ｃの下重なり片部８３５を配置し、屋根材８１Ｃを真上に移動して、側板材６３１の上側重なり部６３２の下側に屋根材８１Ｃの下重なり片部８３５Ａを重ね合わせ、且つ、屋根材８１Ａの上側重なり片部８４５に屋根材８１Ｃの下重なり片部８３５を重ね合わせ、重ね合わせた上側重なり部６３２および下重なり片部８３５Ａを固定ネジ８７によって固定すると共に、重ね合わせた上側重なり片部８４５および下重なり片部８３５を固定ネジ８７によって固定する。
このようにして、複数の屋根材８１をＸ軸方向に並設する。なお、上重なり片部８４５および上側重なり部６３２，６４２，８６９と下重なり片部８３５および下側重なり部８６８との間には、ブチルゴム等の止水材が挟み込んでおり、これにより前述した重ね合わせ部分を止水している。
複数の屋根材８１の並設後、図１４に示すように複数の屋根材８１の端部８１１に対して、乾式シール材５５を挟み込んだ状態で端板材６１１を固定ビス６５によって固定し、固定ビス６５による締め付けによって前記端部８１１および端板材６１１の間を止水する。また、複数の屋根材８１の端部８１２（図５参照）に対して排水用端板材６２１を固定する。これにより、端板材６１１、排水用端板材６２１および側板材６３１，６４１を四周枠組みする。続いて、化粧材６３５，６４５を側板材６３１，６４１にそれぞれ取り付け、両端部６１５Ａ，６２５Ａに角部シール部材６８が固定された化粧材６１５，６２５を端板材６１１および排水用端板材６２１にそれぞれ取り付けると共に、化粧材６３５，６４５の両端部６３５Ａ，６４５Ａを角部シール部材６８の周縁延出部６８２内に差し込んで当該角部シール部材６８に接着する。なお、接着剤は角部シール部材６８に予め塗布しておく。このようにして前枠６１、後枠６２および側枠６３，６４を枠組みしてなる屋根枠６０を構成する。以上のようにして屋根５０を施工する。
【００３６】
第１実施形態のカーポート１では、図４、図５、図８および図１０に示すように、前述した屋根材８１Ｂと束１０との間を、屋根材８１Ｂの上面に設置した樹脂製の止水部材１１０によって止水する止水構造が構成されている。
止水部材１１０は、挿通口９２の上部開口９２Ａを囲んだ筒状本体１１１と、筒状本体１１１の内周に形成された複数の下固定ビスホール１２１および複数の上固定ビスホール１２２とを有している。
筒状本体１１１は、一対の縦側片部１１２，１１３および一対の横側片部１１４，１１５を有して平面視四角形状に形成されており、筒状本体１１１の四つの角部は円弧面によって丸角状に形成されている。
複数の下固定ビスホール１２１および複数の上固定ビスホール１２２は、筒状本体１１１の軸方向にそれぞれ延びて形成されている。下固定ビスホール１２１は、縦側片部１１２，１１３のそれぞれに対してＸ軸方向の間隔を隔てて二つ形成されており、横側片部１１４，１１５のそれぞれに対してＹ軸方向の間隔を隔てて四つ形成されている。前述した下固定ビスホール１２１の上面１２１Ａは、筒状本体１１１の上面１１１Ａに対してＺ軸方向における上下寸法Ｈ（図１０（Ｂ）参照）だけ低い位置に配置されている。
上固定ビスホール１２２は、縦側片部１１２，１１３のそれぞれに対してＸ軸方向の間隔を隔てて二つ形成されており、各二つの上固定ビスホール１２２間には、縦側片部１１２，１１３にそれぞれ形成された各二つの下固定ビスホール１２１が配置されている。上固定ビスホール１２２は、横側片部１１４，１１５のそれぞれに対して一つ形成されており、横側片部１１４，１１５のＹ軸方向における中央位置にそれぞれ配置されている。横側片部１１４，１１５に形成された上固定ビスホール１２２のＹ軸方向における両側には、横側片部１１４，１１５に形成された下固定ビスホール１２１が二つずつ配置されている。
この止水部材１１０は、複数の下固定ビスホール１２１に螺合した固定ビス１２３によって屋根材８１Ｂの上面部８６１に固定されており、複数の上固定ビスホール１２２に螺合した固定ビス１２３によって上梁７０の下面部７１（図４参照）に固定されている。ここで、筒状本体１１１の下面１１１Ｂと屋根材８１Ｂの上面部８６１における上面８６１Ａとの間には、筒状本体１１１の下面１１１Ｂに沿った平面視四角形状の乾式シール材１２５が介在されており、固定ビス１２３のねじ込みによって筒状本体１１１の下面１１１Ｂと屋根材８１Ｂの上面８６１Ａとに圧着されることで止水部材１１０と屋根材８１Ｂとの間を止水している。また、筒状本体１１１の上面１１１Ａと上梁７０の下面７１Ａ（図５参照）との間にも乾式シール材１２５が介在されており、固定ビス１２３のねじ込みによって筒状本体１１１の上面１１１Ａと上梁７０の下面７１Ａに圧着されることで止水部材１１０と上梁７０との間を止水している。
【００３７】
前述したカーポート１では、電線管１００は、支柱３、梁４、束１０、上梁７０、側枠６４および前枠６１の順で配線されており、前枠６１側から屋根材８１の中空部（本実施形態では屋根材８１Ａの中空部８２９）に導入されている。このように電線管１００が配線されているので、梁４に設置されたアッパーライト５１０およびダウンライト５３０に電線管１００を接続可能であり、また、屋根材８１にダウンライト等の照明具などが設置される場合にはこれらにも電線管１００を接続可能である。
【００３８】
[第１実施形態の効果]
（１−１）屋根５０の浮遊感を演出することを目的とした場合、カーポート１は、一対の支柱３および一対の支柱３に固定された梁４によってそれぞれ構成されて並設された二つのフレーム２Ａ，２Ｂと、梁４にそれぞれ立設された束１０と、束１０に支えられた屋根５０とを備えており、束１０は、梁４の長手方向において屋根５０の周縁部（周縁部を構成する屋根枠６０）よりも内側に配置されていることを特徴とする。上記構成を有するため、束１０の上下寸法に応じて、屋根５０を梁４から上方に離して配置することができる。また、束１０は、Ｘ軸方向において屋根５０の周縁部を構成する屋根枠６０の側枠６３，６４よりも内側に配置されているので、屋根５０を支柱３側から見上げても、束１０が梁４にある程度隠れて目立たない外観を構成できる。このように、屋根５０を梁４に対して上方に離して配置すると共に束１０が目立たない構成とすることで、屋根５０が梁４に対して上方に浮いているような浮遊感を演出することができる。
（１−２）屋根５０は、屋根５０の周縁部を構成する屋根枠６０と、両端が屋根枠６０に取り付けられた上梁７０と、屋根枠６０に取り付けられた屋根材８１とを備えており、上梁７０は、束１０の上端部１１に取り付けられており、上梁７０の長手方向は、梁４の長手方向と平行である。このため、例えば上梁７０と梁４との長手方向が直交する場合と比べて、束１０の上梁７０および梁４に対する取付位置を上梁７０および梁４の長手方向に沿った位置に自由に設定することができる。
（１−３）屋根５０は、屋根５０の周縁部を構成する屋根枠６０と、両端が屋根枠６０に取り付けられた上梁７０と、屋根枠６０に取り付けられた屋根材８１とを備えており、屋根材８１は、上梁７０に対して下方に配置されている。このため、屋根材８１を上梁７０に対して下方に配置することで、屋根５０を下側から見上げても上梁７０が見えないシンプルな外観を構成することができる。
（１−４）屋根５０は、中空部８７１を有した屋根材８１によって構成されており、屋根材８１には、中空部８７１に連通した挿通口９１，９２が形成されており、挿通口９１，９２には、束１０の上端部１１が挿通されている。このため、束１０の上端部１１を屋根材８１の中空部８７１に配置できるので、束１０の上端部１１を屋根５０に取り付けても取付部分が外部に露出しない配置にできる。このように束１０の上端部１１を屋根材８１によって隠すことができ、屋根５０を下側から見上げた際に屋根５０および束１０の取付部分が露出しないシンプルな外観を構成できる。
（１−５）二つのフレーム２Ａ，２Ｂのうちの一方における一対の支柱３の上下寸法Ｌ１は、二つのフレーム２Ａ，２Ｂのうちの他方における一対の支柱３の上下寸法Ｌ２と異なっている。このため、フレーム２Ａに立設された束１０Ａとフレーム２Ｂに立設された束１０Ｂとの上下寸法が同じであっても、フレーム２Ａの支柱３とフレーム２Ｂの支柱３との上下寸法Ｌ１，Ｌ２を異ならせることで、フレーム２Ａ，２Ｂの並設方向における屋根勾配を設定することができ、フレーム２Ａ，２Ｂにそれぞれ立設される束１０Ａ，１０Ｂに共通のものを採用できる。
（１−６）屋根５０は、屋根５０の周縁部を構成する屋根枠６０と、両端が屋根枠６０に取り付けられた上梁７０と、屋根枠６０内に並設されていると共に各両端が屋根枠６０に取り付けられた複数の金属製の屋根材８１とを備えており、上梁７０および梁４の長手方向は平行であり、複数の屋根材８１の長手方向は、上梁７０の長手方向に対して直交している。このため、上梁７０の長手方向に沿った外力が屋根５０に加えられた場合には、この外力を上梁７０によって受けることができ、また、複数の屋根材８１の長手方向に沿った外力が屋根５０に加えられた場合には、この外力を複数の屋根材８１によって受けることができる。このように本発明では、上梁７０のほか複数の屋根材８１を屋根５０の構造材として機能させることができ、屋根５０の剛性を高めることができる。
また、間口寸法が異なる各種のカーポート１を構成する場合、Ｘ軸方向に並設される屋根材８１の枚数を適宜設定することで前記各種のカーポート１の間口寸法に応じた屋根５０を構成できる。
（１−７）梁４のうち屋根５０の下面８２２Ａ，８６２Ａに対してＺ軸方向に対向する領域内には、屋根５０の下面８２２Ａ，８６２Ａを照らす上方照明具としてのアッパーライト５１０が設置されている。このため、梁４に設置したアッパーライト５１０によって屋根５０の下面８２２Ａ，８６２Ａを照らすことで、梁４から上方に離間した屋根５０の浮遊感を照明演出できる。また、例えば取付アームなどによって梁４から張り出した位置にアッパーライト５１０を取り付ける場合と比べて、アッパーライト５１０が梁４のうち屋根５０の下面８２２Ａ，８６２Ａに対向する領域内に収まるので、アッパーライト５１０が外観上目立たない構成にできる。
【００３９】
（２−１）風、地震等によって屋根５０やフレーム２Ａ，２Ｂに水平方向の力が加えられた場合、束１０にはその軸方向に直交する水平方向のせん断力が加えられることがあるので、束１０の水平方向のせん断耐力を向上させることが望まれる。水平方向のせん断耐力を向上することを目的とした場合、束１０は、角筒状に形成された束材２０と、角筒状に形成されていると共に束材２０の中空部２５に配置された補強材３０とを備えており、束材２０は、一対の第一束片部２１，２２と、一対の第一束片部２１，２２に交わって角部２６１〜２６４（厚肉部）を形成する一対の第二束片部２３，２４とを有しており、角部２６１〜２６４は、一対の第一束片部２１，２２が互いに対向するＹ軸方向における寸法Ｔ１（厚さ寸法）が第一束片部２１，２２の厚さ寸法Ｔ４よりも大きくされていると共に、一対の第二束片部２３，２４が互いに対向するＸ軸方向における寸法Ｔ２（厚さ寸法）が第二束片部２３，２４の厚さ寸法Ｔ３よりも大きくされており、各角部２６１〜２６４のそれぞれには、束材２０の軸方向に沿った固定孔２７が穿設されていることを特徴とする。上記構成を有するため、束材２０の下端２９において固定ボルト７等の固定具をフレーム２Ａ，２Ｂの梁４などの下部構造物を介して各角部２６１〜２６４の固定孔２７に締結し、また前述した固定体４０を備える場合には固定体４０の取付片部４４Ａ，４４Ｂ，４５Ａ，４５Ｂを固定ネジ８によって下部構造物に取り付けることで、下部構造物に束１０を固定でき、束材２０の上端２８において固定ボルト７等の固定具を屋根５０の上梁７０などの上部構造物を介して各角部２６１〜２６４の固定孔２７に締結することで、上部構造物を束１０に固定できる。また、上部構造物の鉛直荷重は束材２０の中空部２５に配置された補強材３０によって支持できる。更に、前述したように第一束片部２１，２２および第二束片部２３，２４の厚さ寸法Ｔ３，Ｔ４よりも大きい寸法Ｔ１，Ｔ２とされた各角部２６１〜２６４に固定孔２７が穿設されているので、例えば束材２０の中空部２５とつながるビスホールが束材２０の第一角部２６１から第四角部２６４に形成されている場合と比べて、束材２０の水平方向のせん断耐力を向上することができる。
なお、束１０は、前述したカーポート１のような屋根構造体の屋根５０を支える束１０として用いられるだけではなく、床、デッキ、テラス屋根などを支える束１０として用いることができ、このように用いられる場合にも束１０の水平方向のせん断耐力を向上することができる。束１０を備えた構造体としては、カーポート１等の屋根構造体のほか、床、バルコニー、テラス、アプローチなどが挙げられる。
（２−２）束１０の第二束片部２３，２４には、補強材３０に向かって突出した当接凸部２３１，２４１が形成されている。このため、風、地震等によって束材２０の第二束片部２３，２４の面外方向（Ｘ軸方向）の外力が束１０に加えられた場合には、前述した当接凸部２３１，２４１が補強材３０に当接することで、Ｘ軸方向における束のせん断耐力を向上することができる。
（２−３）束１０は、束材２０の下端２９に固定された固定体４０を備えており、固定体４０は、固定孔２７に締結された固定ボルト７等の固定具によって束材２０の下端２９に固定された固定片部４１Ａと、固定片部４１Ａから垂下した一対の垂下片部４２Ａ,４３Ａと、垂下片部４２Ａ,４３Ａの下縁４７に連続した一対の取付片部４４Ａ，４５Ａとを有している。このため、固定ボルト７を束材２０の下端２９から固定孔２７に締結することで固定片部４１Ａを束材２０の下端２９に固定できるので、固定ボルト７を挿通するための挿通孔などをフレーム２Ａ，２Ｂの梁４などの下部構造物に予め加工する手間を省くことができ、また、この挿通孔を形成することによる下部構造物の強度の低下をなくすことができる。この場合、束１０の下部構造物への固定は、固定体４０の一対の取付片部４４Ａ，４５Ａを下部構造物に面接触させ、取付けネジ９を一対の取付片部４４Ａ，４５Ａから下部構造物にねじ込むことによって行われる。また、固定片部４１Ａは、垂下片部４２Ａ，４３Ａによって取付片部４４Ａ，４５Ａよりも高い位置に配置されるので、固定孔２７に締結された固定ボルト７の頭部（固定具の一部）が固定片部４１Ａの下面から突出していても、この突出部分を固定片部４１Ａと下部構造物との間に納めることができる。
（２−４）束１０の固定体４０は、固定片部４１Ａ，４１Ｂ、一対の垂下片部４２Ａ，４２Ｂ，４３Ａ，４３Ｂおよび一対の取付片部４４Ａ，４４Ｂ，４５Ａ，４５Ｂをそれぞれ有した第一固定部材４０Ａおよび第二固定部材４０Ｂを備えており、第一固定部材４０Ａにおける一対の垂下片部４２Ａ，４３Ａおよび一対の取付片部４４Ａ，４５Ａは、第二固定部材４０Ｂにおける一対の垂下片部４２Ｂ,４３Ｂおよび一対の取付片部４４Ｂ,４５Ｂに重ね合わされており、第一固定部材４０Ａの固定片部４１Ａは、固定孔２７に締結された固定ボルト７等の固定具によって束材２０に固定されており、第二固定部材４０Ｂの固定片部４１Ｂは、第一固定部材４０Ａの固定片部４１Ａに対して上下方向（Ｚ軸方向）の間隔を隔てて固定されている。このため、第一固定部材４０Ａおよび第二固定部材４０Ｂを重ね合わせて固定体４０を構成することで、例えば一つの固定部材によって固定体４０を構成する場合と比べて、固定体４０の強度を向上することができる。また、固定ボルト７の頭部（固定具の一部）を第一固定部材４０Ａおよび第二固定部材４０Ｂの固定片部４１Ａ，４１Ｂの間に配置でき、例えば固定ボルト７が緩んで下方に落ちてきても、固定ボルト７が第二固定部材４０Ｂの固定片部４１Ｂに当接するので、固定ボルト７の脱落を防止することができる。
（２−５）固定片部４１Ａ（４１Ｂ）には、配管用開口４７１が形成されており、一対の垂下片部４２Ａ，４３Ａ（４２Ｂ，４３Ｂ）および一対の取付片部４４Ａ，４５Ａ（４４Ｂ，４５Ｂ）のうちの少なくとも一方の垂下片部、第１実施形態では双方の垂下片部４２Ａ，４３Ａ（４２Ｂ，４３Ｂ）および双方の取付片部４４Ａ，４５Ａ（４４Ｂ，４５Ｂ）には、配管用切欠き４７２が形成されている。このため、電線管１００等を束材２０の中空部２５に通し、配管用開口４７１から配管用切欠き４７２を通すことができ、梁４などの下部構造物に対して電線管１００を通すための配管用開口や切欠きを加工する必要をなくすことができ、この加工による下部構造物の強度の低下をなくすことができる。
（２−６）束１０の固定体４０には、一対の垂下片部４２Ａ，４３Ａ（４２Ｂ，４３Ｂ）の対向方向（Ｘ軸方向）に沿った補強リブ４６が一対の垂下片部４２Ｂ，４３Ｂに連続して形成されている。このため、補強リブ４６によってＸ軸方向における固定体４０の強度を向上することができる。なお、固定体４０が第二固定部材４０Ｂを備えず、第一固定部材４０Ａによって構成される場合には、補強リブ４６は一対の垂下片部４２Ａ，４３Ａに連続して形成される。
（２−７）束材２０は、第二束片部２３，２４が第一束片部２１，２２の幅寸法Ｗ２よりも大きい幅寸法Ｗ１とされているので、Ｙ軸方向のせん断耐力よりもＸ軸方向のせん断耐力が大きくなる構成とされている。このように束材２０はＸ軸方向を強軸方向とされているが、束材２０がＸ軸方向の大きな外力を受けると若干歪もうとする場合がある。この場合には、第一角部２６１から第四角部２６４が補強材３０に当接することで束材２０を補強することができる。
（２−８）梁４に立設された束１０に対して上梁７０が固定されることで、梁４が上梁７０によって補強されることとなり、梁４がその自重によって下方に撓むことを抑制できる。このため、梁４がＸ軸方向に真っ直ぐ延びた形状を保つことができ、例えば自重によって下方に撓んだ梁と比べて、外観上スリムな印象を与えることができる。また、梁４に設置されたアッパーライト５１０などを所定の照射向きに保つことができる。
【００４０】
（３−１）束１０および屋根５０の接合箇所に止水処理を施すことが望ましいが、例えば湿式シール材などを屋根５０と束１０との接合箇所に直接塗布する止水作業には手間を要する。屋根５０と束１０との止水作業を簡略化することを目的とした場合、挿通口９１，９２が構成された屋根材８１と挿通口９１，９２に挿通された束１０との間を止水する止水構造は次の通りとなる。屋根材８１の上面８６１Ａには止水部材１１０が設置されており、止水部材１１０は、挿通口９２の上部開口９２Ａを囲んだ筒状本体１１１と、筒状本体１１１の内周に形成された複数の下固定ビスホール１２１とを有しており、止水部材１１０は、複数の下固定ビスホール１２１に螺合した固定ビス１２３によって屋根材８１に固定されていることを特徴とする。上記構成を有するため、束１０が挿通された屋根材８１の挿通口９１，９２を止水部材１１０の筒状本体１１１によって囲み、止水部材１１０を屋根材８１にビス固定することで、屋根材８１の挿通口９１，９２の周囲に堰を構成することができ、これにより屋根材８１と束１０との間を止水できる。このように止水部材１１０を屋根材８１に対して上方から設置するだけで止水構造を構成できるので、例えば屋根材８１と束１０との接合箇所に湿式シール材を直接塗布する手間を省いて止水作業を簡略化できる。また、工場等にて予め止水部材１１０を屋根材８１に固定しておくことができるので、止水部材１１０および屋根材８１を圧着する場合や、止水部材１１０および屋根材８１の接合箇所に湿式シール材、乾式シール等を用いる場合のいずれにおいても、屋根材８１等の施工現場における止水作業を簡略化できる。
（３−２）屋根材８１の上面８６１Ａおよび止水部材１１０の下面１１１Ｂの間には、乾式シール材１２５が介在されていてもよい。このような構成によれば、止水部材１１０の下固定ビスホール１２１に固定ビス１２３をねじ込むことで、乾式シール材１２５を止水部材１１０の下面１１１Ｂおよび屋根材８１の上面８６１Ａに圧着でき、これにより、屋根材８１の上面８６１Ａと止水部材１１０の下面１１１Ｂとの間の止水性を向上できる。
（３−３）屋根材８１の上面８６１Ａには、二つの立上り面８６６Ａを有した断面凹状の樋部８６７が形成されており、挿通口９２は樋部８６７において開口しており、束１０の上端には上梁７０が固定されており、止水部材１１０は、筒状本体１１１の内周に形成された複数の上固定ビスホール１２２を有しており、止水部材１１０は、複数の上固定ビスホール１２２に螺合した固定ビス１２３によって上梁７０に固定されている。このため、止水部材１１０を上梁７０にビス固定することで、止水部材１１０および上梁７０の間を止水でき、例えば屋根材８１の樋部８６７を流れる水の水位が上昇しても、止水部材１１０および上梁７０の間から水が浸入して挿通口９２から流れ落ちることを抑制できる。
（３−４）複数の下固定ビスホール１２１の上面１２１Ａは、筒状本体１１１の上面１１１Ａよりも低い位置に配置されている。このため、固定ビス１２３を下固定ビスホール１２１の上からねじ込んで止水部材１１０を屋根材８１に固定しても、固定ビス１２３を筒状本体１１１の上面１１１Ａよりも低い位置に収めることができる。このように、下固定ビスホール１２１にねじ込んだ固定ビス１２３が止水部材１１０よりも上方に突出しないので、固定ビス１２３を上固定ビスホール１２２にねじ込んで止水部材１１０を上梁７０に固定しても、上梁７０の固定の邪魔とならない。
【００４１】
（４−１）少なくとも二方の側枠６３，６４（枠材）が枠組みされ、二方枠内に複数の屋根材８１を並設する場合であって、二方枠内に遊び空間がほとんどなくても複数の屋根材８１を簡単に施工することを目的とした場合、複数の屋根材８１は、一対の側面部８３３，８４３（８６３，８６４）を有した中空枠状のパネル材８２（８６）と、一対の側面部８３３，８４３（８６３，８６４）のうちの一方の側面部８４３（８６４）よりも外側に延出した上側重なり部８４６（８６９）と、一対の側面部８３３，８４３（８６３，８６４）のうちの他方の側面部８３３（８６３）よりも内側に位置した下側重なり部８３６（８６８）とを有しており、複数の屋根材８１のうち互いに隣接する一方の屋根材８１の上側重なり部８４６（８６９）の下側には、複数の屋根材８１のうち互いに隣接する他方の屋根材８１の下側重なり部８３６（８６８）が重ね合わされていることを特徴とする。上記構成を有するため、一方の屋根材８１の上側重なり部８４６（８６９）の下方に他方の屋根材８１の下側重なり部８３６（８６８）を配置し、これら屋根材８１のいずれかをＺ軸方向に移動させるだけで、上側重なり部８４６（８６９）の下側に下側重なり部８３６（８６８）を簡単に重ね合わせることができ、この上側重なり部８４６（８６９）および下側重なり部８３６（８６８）を固定ネジ８７によって固定することで複数の屋根材８１を並設することができる。
また、例えば屋根材８１の側面部８３３，８４３（８６３，８６４）から延出した樋部があっても、屋根材８１の側面部８４３（８６４）よりも外側に位置した上側重なり部８４６（８６９）が、屋根材８１の側面部８３３（８６３）よりも内側に位置した下側重なり部８３６（８６８）に重ね合わされるので、例えば上側重なり部および下側重なり部のうちの一方と樋部との間に他方を呑み込ませる構成とはならず、前述同様に屋根材８１を上下方向に移動させるだけで、上側重なり部８４６（８６９）および下側重なり部８３６（８６８）を簡単に重ね合わせることができる。
更に、複数の屋根材８１の並設方向における屋根枠６０の二つの側枠６３，６４間の寸法に遊びがなくても複数の屋根材８１を簡単に並設することができる。
（４−２）屋根材８１Ａでは、上側重なり部８４６は、パネル材８２から上方に立ち上げられた立上げ片部８４４と、立上げ片部８４４からパネル材８２の外側に向かって延出した上重なり片部８４５とを有しており、下側重なり部８３６は、パネル材８２から上方に立上げられた立上げ片部８３４と、立上げ片部８３４からパネル材８２の内側に向かって延出した下重なり片部８３５とを有している。このため、下側重なり部８３６および上側重なり部８４６が立上げ片部８３４，８４４によってパネル材８２から立ち上げられているので、立上げ片部８３４，８４４の間に樋部を構成できる。このため、樋部材を屋根材８１Ａに設置する必要がなくなり、部品点数を削減できると共に樋の施工を簡略化でき、屋根材８１Ａにおいて樋部分が目立たないシンプルな外観を構成できる。
また、屋根材８１Ｃでは、下側重なり部８３６，８３６Ａが立上げ片部８３４，８３４Ａによってパネル材８２から立ち上げられているので、立上げ片部８３４，８３４Ａの間に樋部を構成でき、前述同様の作用効果を発揮できる。
（４−３）複数の屋根材８１の並設方向に沿った上梁７０を備えており、パネル材８２には、上側重なり部８４６および下側重なり部８３６（８３６Ａ）よりも上方に突出した取付部８２１Ａが形成されており、取付部８２１Ａが上梁７０に取り付けられている。このため、下側重なり部８３６（８３６Ａ）および上側重なり部８４６が立上げ片部８３４（８３４Ａ），８４４によって上方に立ち上げられていても、これらよりも上方に位置する取付部８２１Ａを上梁７０に取り付けることができる。
（４−４）パネル材８２は、一対の側面部８３３，８４３に連続した上面部８２１および下面部８２２と、一対の側面部８３３，８４３の間において上面部８２１および下面部８２２に連続した二つの縦片部８２３とを有しており、上面部８２１、下面部８２２および二つの縦片部８２３によって中空部８２９が形成されており、上面部８２１のうち二つの縦片部８２３の間に位置する部分が取付部８２１Ａとして構成されている。このため、取付部８２１Ａ、下面部８２２および二つの縦片部８２３によってボックス部８８を構成することでパネル材８２の強度を高めることができ、また、このように強度の高い部分で取付部８２１Ａを上梁７０に取り付けることができる。
（４−５）前記複数の屋根材８１の並設方向において対向する二方の枠材としての側枠６３，６４を少なくとも有した屋根枠６０と、複数の屋根材８１の並設方向において屋根枠６０および複数の屋根材８１Ａ，８１Ｂの間に配設される屋根材８１Ｃ（端部屋根材）とを備えており、屋根材８１Ｃは、一対の側面部８３３，８４３を有した中空枠状のパネル材８２（端部パネル材）と、一対の側面部８３３，８４３のそれぞれよりも内側に延出した二つの下側重なり部８３６，８３６Ａを有しており、屋根枠６０の二方の側枠６３，６４のうち屋根材８１Ｃに隣接する側枠６３には、当該側枠６３から屋根材８１Ｃ側に延出した上側重なり部６３２が形成されており、複数の屋根材８１のうち屋根材８１Ｃに隣接する屋根材８１Ａの上側重なり部８４６の下側には、屋根材８１Ｃの下側重なり部８３６が重ね合わされており、側枠６３の上側重なり部６３２の下側には、屋根材８１Ｃの下側重なり部８３６Ａが重ね合わされている。このため、屋根材８１Ｃがその幅方向における両側面部８３３，８４３よりも内側に位置した二つの下側重なり部８３６，８３６Ａを有しているので、屋根材８１Ｃを屋根材８１Ａおよび側枠６３に対して上下方向に移動させるだけで、屋根材８１Ｃの二つの下側重なり部８３６，８３６Ａを当該屋根材８１Ｃに隣接する屋根材８１Ａの上側重なり部８４６と側枠６３の上側重なり部６３２との双方に簡単に重ね合わせることができ、重ね合わせた下側重なり部８３６，８３６Ａおよび上側重なり部８４６，６３２を固定ネジ８７によって互いに固定することで、屋根材８１Ｃを屋根枠６０および屋根材８１Ａの間に配設することができる。また、屋根材８１Ｃを複数の屋根材８１の並設方向に移動させる必要がないので、複数の屋根材８１の並設方向における屋根枠６０の二つの側枠６３，６４間の寸法に遊びがなくても、屋根材８１Ｃを上下方向に移動させるだけで設置することができる。
（４−６）また、複数の屋根材８１の下側重なり部８３６（８６８）は、前述したように側面部８３３（８６３）よりも内側に位置しているので、例えば側面部８３３（８６３）から外側に延出した下側重なり部と比べて、屋根材８１の強度の高い位置で隣接する屋根材８１の上側重なり部８４６（８６９）から加えられる鉛直荷重を支持でき、また、隣接する屋根材８１同士の間隔を狭めることができる。
【００４２】
（５−１）電線管１００等のケーブルを外部に露出させずに配線することを目的とした場合、カーポート１は、支柱３および梁４を有した下部構造物と、梁４から上方に離間して設けられた屋根５０とを備えており、屋根５０は、Ｘ軸方向に延びた上梁７０と、上梁７０の端部に取り付けられた側枠６３，６４と、Ｙ軸方向に延びて上梁７０に取り付けられた複数の屋根材８１と、複数の屋根材８１に取り付けられた前枠６１および後枠６２とを備えており、複数の屋根材８１は、前枠６１側の端部８１１が後枠６２側の端部８１２よりも上方に位置するように水平方向に対して傾斜しており、上梁７０、側枠６４および前枠６１の内部には、上梁７０、側枠６４および前枠６１の順で電線管１００が配線された収容空間が形成されており、電線管１００は、前枠６１側から屋根材８１の中空部８２９に導入されていることを特徴とする。上記構成を有するため、屋根５０を梁４から上方に離して配置することで、屋根５０が梁４から上方に浮いているような浮遊感を演出することができ、このように構成されたカーポート１において前述したように電線管１００を配線して屋根材８１の中空部８２９に導入しているので、電線管１００が外部に露出することがなく、シンプルな外観のカーポート１を構成できる。この電線管１００は屋根材８１に設置された照明具などに接続できる。
また、屋根材８１が後枠６２側の端部８１２よりも前枠６１側の端部８１１が上方に位置するように傾斜しており、電線管１００が屋根材８１の中空部８２９に対して後枠６２側からではなく前枠６１側から導入されているので、雨水によって濡れにくい位置に電線管１００を配置することができる。
（５−２）梁４に立設された束１０を有しており、屋根５０は、束１０によって支持されており、電線管１００は、梁４側から束１０の内部を通って上梁７０の内部に導入されている。このため、束１０によって屋根５０を梁４から上方に離して配置でき、屋根５０が梁４から上方に浮いているような浮遊感を演出することができる。また、本実施形態のように束１０を有する場合においても、電線管１００が束１０の内部を通るので、電線管１００が外部に露出することがなく、シンプルな外観のカーポートを構成できる。
（５−３）複数の屋根材８１の前枠６１側の端部８１１には、端板材６１１が配置されており、複数の屋根材８１の端部８１１および端板材６１１の間には、Ｘ軸方向に延びたシート状の乾式シール材５５が配置されており、乾式シール材５５は、ねじ軸部６５Ａを有した固定ビス６５が端板材６１１から屋根材８１の前枠６１側の端部８１１にねじ込まれることで、複数の屋根材８１の前枠６１側の端部８１１における開口を塞いでおり、電線管１００は、端板材６１１および乾式シール材５５を貫通している。このため、複数の屋根材８１の前枠６１側の端部８１１に対して端板材６１１を固定する際にシート状の乾式シール材５５を屋根材８１および端板材６１１の間に挟み込み、固定ビス６５のねじ軸部６５Ａを端板材６１１から屋根材８１の前枠６１側の端部８１１にねじ込むことで、屋根材８１の前枠６１側の端部８１１と端板材６１１との間を止水できる。また、固定ビス６５のねじ軸部６５Ａを端板材６１１から屋根材８１の前枠６１側の端部８１１にねじ込むので、乾式シール材５５は複数の屋根材８１の前枠６１側の端部８１１に圧接することとなり、止水性を向上することができる。
（５−４）複数の屋根材８１Ａ〜８１Ｃは、一対の側面部８３３（８６３），８４３（８６４）と、一対の側面部８３３（８６３），８４３（８６４）に連続した上面部８２１（８６１）および下面部８２２（８６２）と、一対の側面部８３３（８６３），８４３（８６４）の間において上面部８２１（８６１）および下面部８２２（８６２）に連続した二つの縦片部８２３（８６５）とを有しており、上面部８２１（８６１）、下面部８２２（８６２）および二つの縦片部８２３（８６５）によってボックス部８８（８９）が構成されており、ボックス部８８（８９）の各角部には、ビスホール８５が形成されており、ビスホール８５には、固定ビス６５のねじ軸部６５Ａがねじ込まれている。このため、一対の側面部８３３（８６３），８４３（８６４）の間において上面部８２１（８６１）および下面部８２２（８６２）を二つの縦片部８２３（８６５）でつないでボックス部８８（８９）を構成することで、屋根材８１を中空枠状に形成しつつ強度を高めることができ、また、このように強度が高められたボックス部８８（８９）の各角部にビスホール８５を形成しているので、屋根材８１の前枠６１側の端部８１１のうち強度が高められた部分に固定ビス６５をねじ込むことで端板材６１１を強固に固定することができ、乾式シール材５５によってボックス部８８と端板材６１１との間をより密に止水できる。このため、ボックス部８８（８９）によって形成される中空部８２９（８７１）を、電線管１００等のケーブルを配設する空間として好適に利用できる。
（５−５）端板材６１１は、Ｘ軸方向（左右方向）において複数の屋根材８１の前枠６１側の端部８１１にわたって延びている。このため、複数の屋根材８１の前枠６１側の端部８１１に対して一つの端板材６１１を固定することができ、例えば複数の屋根材８１の前枠６１側の端部８１１に別々の端板材６１１を固定する場合と比べて施工性を向上することができる。また、一つの端板材６１１によって複数の屋根材８１の前枠６１側の端部８１１がつながれるので、端板材６１１を屋根５０の枠材として構成することができ、この端板材６１１のほかに当該端板材６１１に沿った枠材を別途設ける必要をなくすことができる。
（５−６）前枠６１は、端板材６１１と、端板材６１１に取り付けられた化粧材６１５とによって構成されており、側枠６４は、側板材６４１と、側板材６４１に取り付けられた化粧材６４５とによって構成されており、端板材６１１および化粧材６１５の間と側板材６４１および化粧材６４５の間とには、収容空間６１Ａ，６４Ａがそれぞれ形成されている。このため、例えば端板材６１１および化粧材６１５が一体に形成されていたり、側板材６４１および化粧材６４５が一体に形成されていたりする場合と比べて、電線管１００を前枠６１や側枠６４の収容空間６１Ａ，６４Ａに簡単に設置することができる。また、化粧材６１５の取付け前は端板材６１１が外部に露出しているので、端板材６１１に対して直接に固定ビス６５を挿通させることができ、端板材６１１を複数の屋根材８１の端部８１１に容易に固定することができる。
（５−７）側枠６３，６４、前枠６１および後枠６２は、互いに端部が突き合わされる化粧材６１５，６２５，６３５，６４５をそれぞれ備えており、化粧材６１５，６２５，６３５，６４５間の各端部間には、化粧材６１５，６２５，６３５，６４５の対向する端部の一方にねじ止めされ且つ他方に接着された角部シール部材６８が設けられている。このため、工場等において予め化粧材６１５，６２５の両端部６１５Ａ，６２５Ａに角部シール部材６８を固定することで、施工現場では化粧材６３５，６４５の両端部６３５Ａ，６４５Ａに角部シール部材６８を接着するだけで、化粧材６１５，６２５と化粧材６３５，６４５とを突き合せたコーナー部６９を止水でき、止水作業を簡略化することができる。
（５−８）複数の屋根材８１の上面８２１Ｂ（８６１Ａ）には樋部８３１，８４１，８６７が形成されており、複数の屋根材８１の後枠６２側の端部８１２には、各屋根材８１の樋部８３１，８４１，８６７に対応する位置に排水溝６２２が形成された排水用端板材６２１が固定されている。このため、複数の屋根材８１の樋部８３１，８４１，８６７を流れる雨水は排水用端板材６２１の排水溝６２２を通って排水することができる。
（５−９）後枠６２は、排水用端板材６２１と、排水用端板材６２１に取り付けられた化粧材６２５とによって構成されており、化粧材６２５には、排水用端板材６２１の排水溝６２２からの排水を受ける樋部６２６が形成されており、樋部６２６は、一対の側面部６２７Ａ，６２７Ｂおよび下面部６２７Ｃによって形成されており、一方の側面部６２７Ｂは、複数の屋根材８１の後枠６２側の端部８１２に沿って立ち上げられている。このため、屋根材８１の樋部８３１，８４１，８６７から化粧材６４５の樋部６２６への排水量が多い場合であっても、屋根材８１の後枠６２側の端部８１２に沿って立ち上げられた側面部６２７Ｂによって水が屋根材８１の中空部８２９，８３９，８４９，８７１〜８７３に入り込むことを防止でき、屋根材８１の中空部８２９に導入された電線管１００などが濡れるおそれを低減できる。
（５−１０）作業者は、端板材６１１の外面側から固定ビス６５のねじ軸部６５ＡをＹ軸方向に挿通させて屋根材８１のビスホール８５にねじ込む作業を行うことで、端板材６１１を屋根材８１の端部８１１に固定できる。このため、端板材６１１を固定するために作業者が屋根材８１の上に登って屋根材８１の上方から固定ビスをねじ込むなどの作業を行う必要をなくし、または減らすことができ、作業性を向上することができる。
【００４３】
（６−１）屋根５０の下面８２２Ａ，８６２Ａを照らして当該屋根５０を照明演出すると共に屋根５０を照らす照明具（アッパーライト５１０）が外観上目立たない構成にすることを目的とする場合、カーポート１は、互いに間隔を隔てて並設された少なくとも二つのフレーム２Ａ，２Ｂと、フレーム２Ａ，２Ｂに支えられた屋根５０とを備えており、フレーム２Ａ，２Ｂは、支柱３と、支柱３に固定された梁４とをそれぞれ備えており、屋根５０は、梁４に対して上方に離間して配置されており、梁４のうち屋根５０の下面８２２Ａ，８６２Ａに対してＺ軸方向に対向する領域内には、屋根５０の下面８２２Ａ，８６２Ａを照らす上方照明具としてアッパーライト５１０が設置されていることを特徴とする。上記構成を有するため、アッパーライト５１０によって屋根５０の下面８２２Ａ，８６２Ａを照らすことで、梁４から上方に離間した屋根５０の浮遊感を照明演出することができる。
また、アッパーライト５１０が梁４のうち屋根５０の下面８２２Ａ，８６２Ａに対向する領域内に収まるので、例えば取付アームなどによって梁４から張り出した位置にアッパーライト５１０を取り付ける場合と比べて、アッパーライト５１０が外観上目立たない構成にできる。
（６−２）梁４には、少なくとも二つの束１０がＸ軸方向に間隔を隔てて立設されており、二つの束１０には、屋根５０が固定されており、アッパーライト５１０は、二つの束１０の間に配置されている。このため、二つの束１０は互いにＸ軸方向に間隔を隔てて配置することで屋根５０の支持状態をより安定させることができるが、例えば二つの束１０よりも梁４の端部側の位置に配置したアッパーライト５１０では、アッパーライト５１０からの照射光が束に遮られてしまい、二つの束１０の間において屋根５０の下面８２２Ａ，８６２Ａを広範囲に照らすことが困難である。本実施形態では、アッパーライト５１０を二つの束１０の間に配置するので、このアッパーライト５１０からの照射光によって、二つの束１０の間において屋根５０の下面８２２Ａ，８６２Ａを広範囲に照らすことができる。
（６−３）アッパーライト５１０は、Ｘ軸方向において二つの束１０に対して等間隔（距離Ｌ３）を隔てて配置されている。このため、二つの束１０の間に配置されたアッパーライト５１０からの照射光をＸ軸方向における両側に同様に広げることができる。
（６−４）Ｘ軸方向におけるアッパーライト５１０の照射範囲は、屋根５０の下面８２２Ａ，８６２Ａのうち少なくとも二つの束１０間（１０Ａ，１０Ａ間、１０Ｂ，１０Ｂ間）の全範囲に設定されている。このため、アッパーライト５１０によって二つの束１０の間の全範囲を照らすことで、屋根５０の下面８２２Ａ，８６２Ａのうち二つの束１０の間に位置する部分から暗い部分をなくすことができて屋根５０の浮遊感を演出できる。
（６−５）梁４の上面４０５（側枠部４２２，４２３の上面４２４、凹部底面４２１Ａおよび凹部側面４２２Ａ，４２３Ａによって形成される面）には、上部で開口した凹部４Ａが形成されており、凹部４Ａには、アッパーライト５１０が配置されている。このため、アッパーライト５１０を凹部４Ａに配置するので、例えば梁４の上面４０５に凹部４Ａを形成せずにアッパーライト５１０を載置して取り付ける場合と比べて、アッパーライト５１０が外観上目立たない構成にできる。
（６−６）凹部４Ａは、Ｘ軸方向に延びて形成されており、梁４には、凹部４Ａの開口を覆う上カバー材５Ａが取り付けられており、上カバー材５Ａには、アッパーライト５１０からの照射光が通る照明開口５２３が形成されている。このため、梁４の凹部４Ａに電線管１００等を収めても、この凹部４Ａの開口を上カバー材５Ａによって覆うことで、凹部４Ａに収めた電線管１００等が外部に露出しない構成にできる。一方、上カバー材５Ａを梁４に取り付けた状態でも、アッパーライト５１０からの照射光が上カバー材５Ａに形成された照明開口５２３を通るので、屋根５０の下面８２２Ａ，８６２Ａを照らすことができる。
（６−７）屋根５０は、当該屋根５０の後側から前側に向かうにつれて仮想水平面５２に対して斜め上向きに傾斜している。このため、アッパーライト５１０によって屋根５０の下面８２２Ａ，８６２Ａを照射することで、屋根５０の下面８２２Ａ，８６２Ａに反射した反射光を当該屋根５０に対して前方に向けることができる。これにより、カーポート１に対して前方にある道路などを反射光によって照らすことができ、道路などを照らすダウンライトを別途に設置する必要をなくし得る。
【００４４】
［第２実施形態］
以下、本発明の第２実施形態に係るカーポート１を図面に基づいて説明する。
第２実施形態に係るカーポート１は、第１実施形態と概略同様であるが、屋根材８１と束１０との間を止水部材１１０によって止水する止水構造に代えて、図１８に示す止水構造が構成されており、挿通口９１は後述する止水部材１３０を挿通可能な開口寸法とされている。
図１８に示す止水構造では、屋根材８１および束１０の間に樹脂製の止水部材１３０が設置されている。止水部材１３０は、図１９に示すように、互いに突合せ可能な二つの突合せ面１３１，１３２をそれぞれ有した第一部材１３０Ａおよび第二部材１３０Ｂによって構成されている。
【００４５】
第一部材１３０Ａおよび第二部材１３０Ｂは、互いに共通形状の半割体によってそれぞれ形成されており、二つの突合せ面１３１，１３２の間で開口した平面視コ字形状の凹状部１３３と、凹状部１３３の外面から延出した半環状の鍔部１３４とを有している。突合せ面１３１には凸条部１３１Ａが形成されており、突合せ面１３２には凹条部１３２Ａが形成されている。第一部材１３０Ａの凸条部１３１Ａを第二部材１３０Ｂの凹条部１３２Ａに嵌合しつつ突合せ面１３１，１３２同士を突き合わせて接着することで、第一部材１３０Ａおよび第二部材１３０Ｂを組み合わせた一つの止水部材１３０が構成される。
【００４６】
この止水部材１３０では、第一部材１３０Ａおよび第二部材１３０Ｂの凹状部１３３によって角筒状の止水筒部１３５および案内筒部１３６が構成され、且つ、第一部材１３０Ａおよび第二部材１３０Ｂの鍔部１３４によって矩形板状の止水本体部１３７が構成される。
止水筒部１３５は、止水本体部１３７から上側に突出していると共に束１０の外周面１０１を囲んで配置される部分であり、その内周面１３５Ａおよび外周面１３５Ｂには凹状面部１３８が止水筒部１３５の周方向に沿って複数形成されている。案内筒部１３６は、止水本体部１３７から下側に突出していると共に束１０の外周面１０１を囲んで配置される部分であり、案内筒部１３６の内周面１３６Ａは束１０の外周面１０１に当接する。
止水本体部１３７には、屋根材８１Ｂの上面部８６１に取り付けるための取付穴１３９が形成されている。
【００４７】
前述した止水部材１３０は次の通り施工される。まず、第一部材１３０Ａおよび第二部材１３０Ｂの凹状部１３３における内側および外側の凹状面部１３８と、鍔部１３４の上面とに、湿式シール材５６を付着する。
次に、図２０に示すように、第一部材１３０Ａおよび第二部材１３０Ｂを組み合わせて束１０の外周面１０１を囲む止水部材１３０を構成する。このとき、止水筒部１３５の内周面１３５Ａにおける凹状面部１３８と束１０の外周面１０１との間には湿式シール材５６が溜められたシール材溜り空間５７が形成される。
次に、止水部材１３０を、案内筒部１３６を利用してガイドしながら束１０の軸方向に沿って下方から上方に移動し、屋根材８１Ｂの挿通口９１を挿通し、止水筒部１３５を挿通口９２に差し込んで屋根材８１Ｂの上面部８６１と束１０とに当接させ、且つ、止水本体部１３７の上面１３７Ａを上面部８６１の下面８６１Ｂに当接させる。このとき、止水筒部１３５の外周面１３５Ｂにおける凹状面部１３８と上面部８６１のうち挿通口９２を形成する周面との間には湿式シール材５６が溜められたシール材溜り空間５７が形成される。
次に、止水本体部１３７の取付穴１３９に固定ネジ１４０をねじ込むことによって止水部材１３０を屋根材８１Ｂの上面部８６１に取り付ける。上面部８６１および止水筒部１３５の間と束１０および止水筒部１３５の間とは、各シール材溜り空間５７に溜められた湿式シール材５６によって止水される。また、上面部８６１および止水本体部１３７の間は、止水本体部１３７の上面１３７Ａに付着されていた湿式シール材５６が上面部８６１の下面８６１Ｂに付着することによって止水される。
なお、止水部材１３０の取付後、屋根材８１Ｂの下面部８６２の挿通口９１は、板状の化粧材１４１によって塞ぐ。
【００４８】
［第２実施形態の効果］
（１）束１０および屋根５０の接合箇所に止水処理を施すことが望ましいが、例えば湿式シール材などを屋根５０と束１０との接合箇所に直接塗布する止水作業には手間を要する。屋根５０と束１０との止水作業を簡略化することを目的とした場合、挿通口９１，９２が構成された屋根材８１と挿通口９１，９２に挿通された束１０との間を止水する止水構造は次の通りとなる。屋根材８１および束１０の間には止水部材１３０が設置されており、止水部材１３０は、止水本体部１３７と、止水本体部１３７から上側に突出していると共に束１０の外周面１０１を囲んで配置された止水筒部１３５とを有しており、止水筒部１３５は、挿通口９２において束１０および屋根材８１に当接しており、止水本体部１３７の上面１３７Ａは、屋根材８１に対して下方から当接していることを特徴とする。上記構成を有するため、止水部材１３０を束１０の軸方向に沿って下方から上方に移動させることで、止水筒部１３５を挿通口９２に挿通して束１０および屋根材８１に当接させ、且つ、止水本体部１３７の上面１３７Ａを屋根材８１の上面部８６１の下面８６１Ｂに当接させることで、止水部材１３０によって屋根材８１と束１０との間を止水する止水構造を構成することができる。また、このように止水部材１３０を束１０の軸方向に沿って下方から上方に移動させて止水構造を構成するので、屋根５０と束１０との接合箇所に湿式シール材を直接塗布する止水作業の手間を省くことができ、止水作業を簡略化できる。
（２）止水筒部１３５の内周面１３５Ａおよび外周面１３５Ｂと止水本体部１３７の上面１３７Ａとには、シール材５６（本実施形態では湿式シール材）が付着されている。このため、止水筒部１３５の内周面１３５Ａに付着されたシール材５６は束１０の外周面１０１に付着して、止水部材１３０および束１０の間を止水する。また、止水筒部１３５の外周面１３５Ｂおよび止水本体部１３７の上面１３７Ａに付着されたシール材５６は屋根材８１の挿通口９２を構成する縁部に付着して、止水部材１３０および屋根材８１の間を止水する。
更に、前述したようにシール材５６を付着した止水部材１３０を下方から上方に移動して束１０および屋根材８１の間に配置することで、前述したようにシール材５６による止水処理を施すことができるので、例えば止水部材１３０を用いずに屋根材８１と束１０との接合箇所にシール材５６を直接付着させる場合と比べて、止水作業を簡略化できる。
（３）止水部材１３０は、止水本体部１３７から下側に突出していると共に束１０の外周面１０１を囲んで配置された案内筒部１３６を有しており、案内筒部１３６の内周面１３６Ａは、前記束１０の外周面１０１に当接しており、止水筒部１３５の内周面１３５Ａには、束１０の外周面１０１との間にシール材溜り空間５７を形成する凹状面部１３８が形成されている。このように案内筒部１３６の内周面１３６Ａが束１０の外周面１０１に当接しているので、止水部材１３０を束１０の軸方向に沿って下方から上方に移動した際、止水筒部１３５の凹状面部１３８と束１０の外周面１０１との間に形成されたシール材溜り空間５７にあるシール材５６が止水部材１３０から下方に漏れ出ることを抑制できる。
（４）止水部材１３０は、互いに突合せ可能な二つの突合せ面１３１，１３２をそれぞれ有した第一部材１３０Ａおよび第二部材１３０Ｂによって構成されており、第一部材１３０Ａおよび第二部材１３０Ｂは、二つの突合せ面１３１，１３２の間で開口した凹状部１３３と、凹状部１３３の外面から延出した鍔部１３４とを有しており、第一部材１３０Ａおよび第二部材１３０Ｂの二つの突合せ面１３１，１３２同士を突き合わせた状態では、第一部材１３０Ａおよび第二部材１３０Ｂの凹状部１３３は、止水筒部１３５および案内筒部１３６を構成すると共に、第一部材１３０Ａおよび第二部材１３０Ｂの鍔部１３４は、止水本体部１３７を構成する。このため、第一部材１３０Ａおよび第二部材１３０Ｂの二つの突合せ面１３１，１３２同士を突き合わせることで、束１０の外周面１０１を囲んだ止水部材１３０を構成することができ、屋根材８１の挿通口９１，９２に束１０を挿通する前に予め止水部材１３０を束１０に通しておく必要がなく、挿通口９１，９２に束１０を挿通した後であっても止水部材１３０を容易に設置できる。
（５）第一部材１３０Ａおよび第二部材１３０Ｂは、共通形状の半割体によって構成されているので、第一部材１３０Ａおよび第二部材１３０Ｂを同一形材で製造することで製造コストを削減でき、また、第一部材１３０Ａおよび第二部材１３０Ｂを共通化することで施工が容易となる。
【００４９】
［第３実施形態］
以下、本発明の第３実施形態に係るカーポート１を図面に基づいて説明する。
第３実施形態に係るカーポート１は、第２実施形態と概略同様であるが、止水部材１３０に代えて、図２１に示す一体に形成された止水部材１５０を備えている。
止水部材１５０は、前述した止水部材１３０の案内筒部１３６に対応する構成を有しておらず、また、止水部材１３０のように第一部材１３０Ａおよび第二部材１３０Ｂに分けられずに一つの部材として一体に形成されており、これらの点以外は止水部材１３０と同様に形成されている。
この止水部材１５０のＺ軸方向における上下寸法Ｈ１は、屋根材８１Ｂの中空部８７１のＺ軸方向における上下寸法Ｈ２よりも小さくされており、これにより、止水部材１５０は屋根材８１Ｂの小口から中空部８７１へ挿入可能である。
前述した止水部材１５０は次の通り施工される。まず、止水部材１５０の止水筒部１３５の内側および外側の凹状面部１３８と、止水本体部１３７の上面１３７Ａとに湿式シール材５６を付着する。
次に、図２２に示すように、止水部材１５０をＹ軸方向に移動して屋根材８１Ｂの小口から中空部８７１に挿入し、続いて止水部材１５０を上方に移動して止水筒部１３５を挿通口９２に差し込み、止水筒部１３５を屋根材８１Ｂの上面部８６１に当接させ、且つ、止水本体部１３７の上面１３７Ａを上面部８６１の下面８６１Ｂに当接させる。この状態で、止水本体部１３７の取付穴１３９に固定ネジ１４０をねじ込んで止水部材１５０を屋根材８１Ｂの上面部８６１に取り付ける。
次に、屋根材８１Ｂの挿通口９１，９２に束１０を挿通させ、止水部材１５０の止水筒部１３５には束１０が差し込まれる。これにより、上面部８６１および止水筒部１３５の間と束１０および止水筒部１３５の間とは、各シール材溜り空間５７に溜められた湿式シール材５６によって止水される。また、上面部８６１および止水本体部１３７の間は、止水本体部１３７の上面１３７Ａに付着されていた湿式シール材５６が上面部８６１の下面８６１Ｂに付着することによって止水される。
第３実施形態によれば、第２実施形態における作用効果と同様の作用効果を発揮でき、更に、止水部材１５０を屋根材８１Ｂの挿通口９１を通さずに小口から挿入できるので、施工現場において予め止水部材１５０に束１０を通しておく必要がない。このため、工場において止水部材１５０を予め屋根材８１Ｂに取り付けておくことができ、現場施工の負担を軽減できる。
また、止水部材１５０を挿通口９１に通す必要がないので、挿通口９１のＸ，Ｙ軸方向における各寸法を止水部材１５０のＸ，Ｙ軸方向における各寸法よりも小さくでき、挿通口９１に挿通される束１０の外周面１０１との間に隙間がほとんど形成されない形状にできる。このため、第２実施形態における化粧材１４１（挿通口９１を塞ぐための部材）の構成を省略できる。
【００５０】
［変形例］
例えば、第１実施形態では、束１０は、屋根５０の周縁部を構成する屋根枠６０よりも内側に配置されているが、Ｚ軸方向において屋根枠６０の下方に配置されていてもよい。この場合、束１０は梁４および上梁７０ではなく支柱３および屋根枠６０に取り付けられていてもよい。
第１実施形態では、二つのフレーム２Ａ，２Ｂを備えているが、二つ以上のフレームを備えていてもよく、この場合、各フレームの梁４に束１０が立設される。
第１実施形態では、上梁７０の長手方向は梁４の長手方向と平行であるが、直交していてもよい。
第１実施形態では、屋根材８１がアルミ押出形材によって形成されているので、束１０の上端部１１は上梁７０ではなく屋根材８１に固定されていてもよい。この場合、束１０は屋根材８１の内部で固定されていてもよく、また屋根材８１に挿通口９１，９２が形成されていない場合には当該屋根材８１の下面に固定されていてもよい。
第１実施形態では、屋根材８１は上梁７０に対して下方に配置されているが、上梁７０に対して上方に配置されていてもよい。
第１実施形態では、屋根材８１は、中空部８２９，８３９，８４９，８７１，８７２，８７３を有して構成されているが、このような中空部を有していない板材によって構成されていてもよい。
第１実施形態では、フレーム２Ａ，２Ｂの支柱３の上下寸法Ｌ１，Ｌ２を異ならせることで、屋根５０にＹ軸方向に対して傾斜した勾配を設定しているが、支柱３ではなく束１０Ａ，１０Ｂの上下寸法を異ならせることで屋根５０の勾配を設定してもよい。また、支柱３同士や束１０Ａ，１０Ｂ同士が同じ上下寸法とされてもよく、この場合、フレーム２Ａの梁４に立設された複数の束１０Ａ同士の上下寸法Ｌ１を異ならせ、且つ、フレーム２Ｂの梁４に立設された複数の束１０Ｂ同士の上下寸法Ｌ２を異ならせることで、屋根５０にＸ軸方向に対して傾斜した勾配を設定してもよい。
【００５１】
第１実施形態では、束１０の角部２６１〜２６４には固定孔２７が穿設されているが、固定孔２７に代えて、スリットを介して中空部２５と連通するビスホールが形成されていてもよい。
第１実施形態では、束材２０の角部２６１〜２６４の厚さ寸法Ｔ１，Ｔ２は、第一束片部２１，２２および第二束片部２３，２４の厚さ寸法Ｔ３，Ｔ４よりも大きくされているが、同じ寸法であってもよい。
第１実施形態では、束材２０の第二束片部２３，２４には、補強材３０の第二補強片部３３，３４に当接する当接凸部２３１，２４１が形成されているが、この構成を省略してもよい。
第１実施形態では、束１０の固定体４０は、第一固定部材４０Ａおよび第二固定部材４０Ｂによって構成されているが、第二固定部材４０Ｂの構成を省略してもよい。
第１実施形態では、束材２０は固定体４０を介してフレーム２Ａ，２Ｂの梁４に固定されているが、固定体４０の構成を省略し、束材２０の固定孔２７に固定ボルト７を締結することで梁４に固定されてもよい。
第１実施形態では、束１０には配管用開口４７１および配管用切欠き４７２が形成されているが、これらの構成を省略してもよい。
第１実施形態では、固定体４０には、補強リブ４６が設けられているが、この構成を省略してもよい。
第１実施形態では、束材２０および補強材３０は、四辺を有して四角筒状に形成されているが、これに限らず、例えば平面視三角、五角、六角等の角筒状に形成されていてもよく、また、円筒状に形成されていてもよい。束材２０が円筒状に形成される場合には角部が形成されないので、固定孔２７が形成される部分を厚肉部として構成してもよい。
【００５２】
第１実施形態では、屋根材８１の上面８６１Ａに止水部材１１０が設置されているが、屋根材８１と束１０との間を止水する必要がない場合にはこの止水部材１１０の構成を省略してもよい。
第１実施形態では、止水部材１１０は、下固定ビスホール１２１および上固定ビスホール１２２の双方を備えているが、上梁７０に固定されない場合には、上固定ビスホール１２２を備えていなくてもよい。
第１実施形態では、屋根材８１の上面８６１Ａおよび止水部材１１０の下面１１１Ｂの間には、乾式シール材１２５が介在されているが、これに代えて湿式シール材が施されていてもよい。また、止水部材１１０のうち屋根材８１の上面８６１Ａに当接する部分が軟質樹脂等によって構成されている場合には、乾式シール材１２５や湿式シール材を用いず、止水部材１１０と屋根材８１との圧着によって止水してもよい。
また、上梁７０の下面７１Ａおよび止水部材１１０の上面１１１Ａの間には、乾式シール材１２５が介在されているが、これに代えて湿式シール材が施されていてもよい。また、止水部材１１０のうち上梁７０の下面７１Ａに当接する部分が軟質樹脂等によって構成されている場合には、乾式シール材１２５や湿式シール材を用いず、止水部材１１０と上梁７０との圧着によって止水してもよい。
第１実施形態では、屋根材８１Ｂの上面８６１Ａに樋部８６７が形成されているが、この樋部８６７の構成を省略してもよい。
第１実施形態では、止水部材１１０の下固定ビスホール１２１の上面１２１Ａは筒状本体１１１の上面１１１Ａよりも低い位置に配置されているが、止水部材１１０を上梁７０に固定しない場合には、下固定ビスホール１２１の上面１２１Ａは筒状本体１１１の上面１１１Ａと同じ高さ位置または上面１１１Ａよりも高い位置に配置されていてもよい。
【００５３】
第１実施形態では、屋根材８１の下側重なり部８３６，８６８は、側面部８３３，８６３よりも内側に位置しているが、側枠６３，６４の間のＸ軸方向の寸法に余裕がある場合には、側面部８３３，８６３に対して外側に延出した下側重なり部を有していてもよい。
第１実施形態では、屋根材８１Ａ，８１Ｃの下側重なり部８３６（８３６Ａ）および上側重なり部８４６は、立上げ片部８３４（８３４Ａ），８４４によって上方に立ち上げられているが、パネル材８２に樋部を構成する必要がない場合には、立上げ片部８３４（８３４Ａ），８４４の構成を省略してもよい。この場合、下側重なり部８３６（８３６Ａ）は、パネル材８２の上面部８２１の一部によって構成されることとなる。
第１実施形態では、パネル材８２には、下側重なり部８３６（８３６Ａ）および上側重なり部８４６よりも上方に突出した取付部８２１Ａが形成されているが、このような取付部８２１Ａがなくてもパネル材８２を上梁７０に取付可能である場合には、この上方に突出した取付部８２１Ａの構成を省略してもよい。
第１実施形態では、パネル材８２（８６）の一対の側面部８３３，８４３（８６３，８６４）の間において上面部８２１（８６１）および下面部８２２（８６２）に連続した二つの縦片部８２３（８６５）を有してボックス部８８（８９）を構成し、パネル材８２（８６）の強度を高めているが、ボックス部８８（８９）を構成しなくても十分な強度がある場合には、二つの縦片部８２３（８６５）の構成を省略してもよい。
第１実施形態では、側枠６４に固定される屋根材８１Ｃ（端部屋根材）を備えているが、側枠６４が屋根材８１Ａ，８１Ｂであっても固定可能に構成されている場合には、屋根材８１Ｃに代えて屋根材８１Ａや屋根材８１Ｂを備えていてもよい。
【００５４】
第１実施形態では、電線管１００は、支柱３から梁４に配線されているが、支柱３の中空部３Ａを通す必要がない場合には、支柱３を通さずに梁４に電線管１００を配線してもよい。
第１実施形態では、電線管１００は二つのフレーム２Ａ，２Ｂの支柱３および梁４に配線され、フレーム２Ａの梁４から束１０Ａ、上梁７０、側枠６４、前枠６１の順に配線されているが、これに限らず、フレーム２Ｂの梁４から束１０Ｂ、上梁７０、側枠６４、前枠６１の順に配線されていてもよく、側枠６４に代えてまたは加えて、上梁７０から側枠６３に配線されていてもよい。
第１実施形態では、前枠６１と複数の屋根材８１の端部８１１の間が乾式シール材５５によって止水されているが、これに加えてまたはこれに代えて、湿式シール材によるシール処理を施してもよい。また、例えば化粧材６１５によって端板材６１１の上方を覆うように構成とし、乾式シール材５５がなくても前枠６１と屋根材８１の端部８１１との間に水が入り込まない構成となっている場合には、この乾式シール材５５の構成を省略してもよい。
第１実施形態では、端板材６１１は、Ｘ軸方向に延びた一つの部材によって構成され、前枠６１の構造体として用いられているが、これに限らず、例えば、複数の屋根材８１のうちの一つまたは一部の端部８１１に固定される複数の端板材を備えていてもよい。この場合には、前枠６１の構造体となる枠材を別途設けてもよい。
第１実施形態では、複数の屋根材８１のボックス部８８（８９）の各角部にビスホール８５が形成されているが、これらのビスホール８５をなくし、ボックス部８８（８９）とは異なる他の箇所にビスホール８５が形成されていてもよい。また、スリットを有したビスホール８５ではなく固定ビス６５がねじ込める孔が形成されていてもよい。
第１実施形態では、端板材６１１および化粧材６１５が別体であり、排水用端板材６２１および化粧材６２５が別体であり、側板材６３１および化粧材６３５が別体であり、側板材６４１および化粧材６４５が別体であるが、これに限らず、端板材６１１および化粧材６１５を一体に形成して前枠６１が構成され、排水用端板材６２１および化粧材６２５を一体に形成して後枠６２が構成され、側板材６３１および化粧材６３５を一体に形成して側枠６３が構成され、側板材６４１および化粧材６４５を一体に形成して側枠６４が構成されていてもよい。
第１実施形態では、角部シール部材６８は、化粧材６１５（６２５）の端部６１５Ａ（６２５Ａ）にビス止めされ、化粧材６３５（６４５）の端部６３５Ａ（６４５Ａ）に接着されているが、これとは逆に、化粧材６３５（６４５）の端部６３５Ａ（６４５Ａ）にビス止めされ、化粧材６１５（６２５）の端部６１５Ａ（６２５Ａ）に接着されていてもよく、また双方に接着されていてもよい。
第１実施形態では、各屋根材８１の後枠６２側の端部８１２と排水用端板材６２１との間に乾式シール材５６２９が配置されているが、乾式シール材６２９に加えてまたはこれに代えて、湿式シール材によるシール処理が施されていてもよく、また、これらのシール材がなくても各屋根材８１の樋部８３１，８４１，８６７から中空部８２９，８３９，８４９，８７１〜８７３に雨水が入り込んだりしない構成である場合には、乾式シール材６２９や湿式シール材を省略してもよい。
【００５５】
第１実施形態では、梁４には、屋根５０の下面８２２Ａ，８６２Ａを照らすアッパーライト５１０が設置されているが、屋根５０を照明演出する必要がない場合には、アッパーライト５１０の構成を省略してもよい。また、梁４にはダウンライト５３０が設置されているが、例えば屋根材８１にダウンライト５３０を設置することで十分な照明が得られる場合には、梁４に設置したダウンライト５３０を省略してもよい。
第１実施形態では、梁４は図２に示すように屋根５０の下方に収まって配置されているが、例えば図２３に示す屋根構造体１Ｂのように、Ｘ軸方向において屋根５０に対して外側まで延出した梁４Ｂを備えていてもよく、梁４Ｂの前記延出した部分である延出部４０１の端部に支柱３が固定されていてもよい。また、複数の束１０（図２３では四つの束）をＸ軸方向に間隔を隔てて配置し、これらの束１０の間においてアッパーライト５１０を梁４Ｂに設置してもよく、梁４Ｂの延出部４０１に一つまたは複数のダウンライト５３０を設置してもよい。このような構成によれば、例えば屋根５０にダウンライト５３０を設置する場合には、屋根５０が存在しない箇所にダウンライト５３０を設置することはできないが、本実施形態では梁４Ｂの延出部４０１にダウンライト５３０を設置するので、屋根５０が存在しない箇所にもダウンライト５３０を設置することができ、このダウンライト５３０によって梁４Ｂ側から下方を照らすことができる。また、このような屋根構造体１Ｂは、屋根５０がある領域をアッパーライト５１０によって照らされるカーポートなどに利用すると共に、屋根５０の外側に梁４Ｂが延出した領域をダウンライト５３０によって照らされるアプローチなどに利用することができる。
第１実施形態では、フレーム２Ａ，２Ｂは梁４を一対の支柱３によって両持ちする構成とされているが、強度を確保できる範囲内で片方の支柱３を省略して梁４を片持ちとする構成とされてもよい。
第１実施形態では、Ｘ軸方向に間隔を隔てて配置された二つの束１０の間には、一つのアッパーライト５１０が配置されているが、複数のアッパーライト５１０がＸ軸方向に並んで配置されていてもよい。この場合、複数のアッパーライト５１０のうち一方の端側にあるアッパーライト５１０および一方の束１０の間隔と、複数のアッパーライト５１０のうち他方の端側にあるアッパーライト５１０および他方の束１０の間隔とを等しい間隔とすることで、複数のアッパーライト５１０からの照射光をＸ軸方向における両側に同様に広げることができる。
第１実施形態では、アッパーライト５１０は、これを挟む二つの束１０に対して等間隔を隔てて配置されているが、二つの束１０に対する間隔が異なっていてもよい。
第１実施形態では、Ｘ軸方向に間隔を隔てて配置された二つの束１０の間にアッパーライト５１０が配置されているが、これに代えてまたはこれに加えて、二つの束１０の間ではなく束１０よりも梁４の端部側の位置に配置されたアッパーライト５１０を備えていてもよい。
第１実施形態では、梁４の上面４０５には、上部で開口した凹部４Ａが形成されているが、この構成を省略してもよく、この場合には、アッパーライト５１０は梁４の側枠部４２２，４２３の上面４２４から上方に突出した位置に設置される。
第１実施形態では、梁４に凹部４Ａを覆う上カバー材５Ａを備えているが、この構成を省略してもよい。また、第１実施形態では、上カバー材５Ａに形成された照明開口５２３にはアッパーライト５１０の照射光が通る構成とされているが、例えばアッパーライト５１０の一部を照明開口５２３から上方に突出させて配置してもよい。
第１実施形態では、Ｙ軸方向において屋根５０の後側から前側に向かうにつれ斜め上向きに傾斜しているが、屋根勾配を設定する必要がない場合には屋根５０は傾斜させずに水平に配置してもよい。
【００５６】
第２実施形態では、止水筒部１３５の内周面１３５Ａおよび外周面１３５Ｂにシール材溜り空間５７を形成するための凹状面部１３８が形成されているが、この凹状面部１３８の構成を省略してもよい。
第２実施形態では、止水部材１３０を構成する第一部材１３０Ａおよび第二部材１３０Ｂは、互いに共通形状の半割体によって形成されているが、互いに組み合わせ可能な範囲で形状が異なっていてもよい。
第２実施形態では、止水部材１３０に湿式シール材５６を付着しているが、これに代えて、スポンジ等の乾式シール材を用いてもよい。
【符号の説明】
【００５７】
１…カーポート（屋根構造体）、２Ａ，２Ｂ…フレーム、３…支柱、４…梁、１０（１０Ａ，１０Ｂ）…束、１１０，１３０，１５０…止水部材、１１１…筒状本体、１２１…下固定ビスホール、１２２…上固定ビスホール、１３５…止水筒部、１３６…案内筒部、１３７…止水本体部、２０…束材、２１，２２…第一束片部、２３，２４…第二束片部、２６１〜２６４…角部（厚肉部）、２７…固定孔、３０…補強材、３１，３２…第一補強片部、３３，３４…第二補強片部、４０…固定体、５０…屋根、５１０…アッパーライト（上方照明具）、５３０…ダウンライト（下方照明具）、５５，１２５…乾式シール材、６０…屋根枠、６１…前枠、６１１…端板材、６１５，６２５，６３５，６４５…化粧材、６１６Ｂ，６２７Ａ，６２７Ｂ，６３６Ａ，６３６Ｂ，６４６Ａ，６４６Ｂ，８３３，８４３，８６３，８６４…側面部、６１Ａ，６４Ａ…収容空間、６２…後枠、６２１…排水用端板材、６３，６４…側枠、６３１，６４１…側板材、６３２，６４２，８４６，８６９…上側重なり部、７０…上梁、８１（８１Ａ,８１Ｂ，８１Ｃ）…屋根材、８２，８６…パネル材、８３６，８６８…下側重なり部、９１，９２…挿通口、１００…電線管（ケーブル）。
【図１】
2020101009.tif 000003
【図２】
2020101009.tif 000004
【図３】
2020101009.tif 000005
【図４】
2020101009.tif 000006
【図５】
2020101009.tif 000007
【図６】
2020101009.tif 000008
【図７】
2020101009.tif 000009
【図８】
2020101009.tif 000010
【図９】
2020101009.tif 000011
【図１０】
2020101009.tif 000012
【図１１】
2020101009.tif 000013
【図１２】
2020101009.tif 000014
【図１３】
2020101009.tif 000015
【図１４】
2020101009.tif 000016
【図１５】
2020101009.tif 000017
【図１６】
2020101009.tif 000018
【図１７】
2020101009.tif 000019
【図１８】
2020101009.tif 000020
【図１９】
2020101009.tif 000021
【図２０】
2020101009.tif 000022
【図２１】
2020101009.tif 000023
【図２２】
2020101009.tif 000024
【図２３】
2020101009.tif 000025